(57)【要約】      （修正有）【課題】様々なトーンプランに従ってワイヤレスメッセージを提供するための方法及び装置を提供する。【解決手段】ワイヤレス通信システムにおいて、複数のデバイスの各々へのワイヤレス通信のためにリソースを割り当てる処理を行う。リソースは、単一アップリンクまたはダウンリンクトーンプラン内のデータトーンのサブセットまたは周波数のサブバンドのうちの少なくとも１つを含む。通信方法は、、デバイスへのリソース割り当てを提供し、割り当てられたサブバンドまたは割り当てられたサブセットのうちの少なくとも１つに関連付けられたアップリンクまたはダウンリンクトーンプランのうちの１つに従ってメッセージを生成する。【選択図】図５
2020115641.tif 000002
【特許請求の範囲】
【請求項１】
ワイヤレス通信のための装置であって、
複数のデバイスの各々へのワイヤレス通信のためにリソースを割り当てることであって、前記リソースは、単一のアップリンクトーンプランまたはダウンリンクトーンプラン内のデータトーンのサブセット、または周波数のサブバンドのうちの少なくとも１つを備える、割り当てることと、
前記デバイスへの前記リソースの割り当てを提供することと、
前記割り当てられたサブバンドまたは前記割り当てられたサブセットのうちの少なくとも１つに関連付けられたアップリンクまたはダウンリンクトーンプランのうちの１つに従ってメッセージを処理することと、
を行うように構成された処理システム、
を備える、ワイヤレス通信のための装置。
【請求項２】
前記アップリンクトーンプランおよび前記ダウンリンクトーンプランは同じである、請求項１に記載の装置。
【請求項３】
前記アップリンクトーンプランは、前記ダウンリンクトーンプランとは異なる、請求項１に記載の装置。
【請求項４】
前記割り当てられたサブセットの各々は、１または複数のパイロットトーンをさらに備える、請求項１に記載の装置。
【請求項５】
前記メッセージは、１３．６μｓ、１４．４μｓ、または１６μｓのシンボル持続時間を備える、請求項１に記載の装置。
【請求項６】
前記処理システムは、
前記装置の通信モードに基づいて、利用可能な帯域幅、または利用可能な数のデータトーンのうちの少なくとも１つを決定することと、
前記利用可能な帯域幅または利用可能な数のデータトーンを、複数の周波数のサブバンドまたはデータトーンのサブセットにそれぞれ分割することと、
によって前記リソースを割り当てるようにさらに構成される、請求項１に記載の装置。
【請求項７】
前記処理システムは、前記ダウンリンクトーンプランまたはアップリンクトーンプランそれぞれに従って、前記メッセージを符号化または復号するようにさらに構成される、請求項１に記載の装置。
【請求項８】
前記アップリンクトーンプランまたはダウンリンクトーンプランは、
帯域幅が５ＭＨｚを備える場合、６４、
帯域幅が１０ＭＨｚを備える場合、１２８、
帯域幅が１５ＭＨｚを備える場合、１９２、
帯域幅が３０ＭＨｚを備える場合、３８４、
帯域幅が６０ＭＨｚを備える場合、７６８、
帯域幅が１００ＭＨｚを備える場合、１２８０、
帯域幅が１２０ＭＨｚを備える場合、１５３６、
帯域幅が１４０ＭＨｚを備える場合、１７９２、
の高速フーリエ変換（ＦＦＴ）サイズを使用する、請求項１に記載の装置。
【請求項９】
前記アップリンクまたはダウンリンクトーンプランは、
帯域幅が２０ＭＨｚを備える場合、２５６、
帯域幅が４０ＭＨｚを備える場合、５１２、
帯域幅が８０ＭＨｚを備える場合、１０２４、
帯域幅が１６０ＭＨｚを備える場合、２０４８、
の高速フーリエ変換（ＦＦＴ）サイズを使用する、請求項１に記載の装置。
【請求項１０】
前記アップリンクトーンプランまたはダウンリンクトーンプランは、
トーンプランが１６高速フーリエ変換（ＦＦＴ）トーンを有する場合、１０データトーン、２パイロットトーン、および１直流（ＤＣ）トーンを、
前記トーンプランが４８ＦＦＴトーンを有する場合、３８データトーン、２パイロットトーン、および１ＤＣトーンを、
前記トーンプランが９６ＦＦＴトーンを有する場合、８０データトーン、４パイロットトーン、および１ＤＣトーンを、
前記トーンプランが１９２ＦＦＴトーンを有する場合、１７１データトーン、６パイロットトーン、および３ＤＣを、
前記トーンプランが３２０ＦＦＴトーンを有する場合、２９２データトーン、８パイロットトーン、および５ＤＣを、
前記トーンプランが３８４ＦＦＴトーンを有する場合、３５０データトーン、１０パイロットトーン、および７ＤＣを、
前記トーンプランが４４８ＦＦＴトーンを有する場合、４０８データトーン、１０パイロットトーン、および９ＤＣを、
前記トーンプランが７６８ＦＦＴトーンを有する場合、７０２データトーン、２４パイロットトーン、および１１ＤＣを、
前記トーンプランが１０２４ＦＦＴトーンを有する場合、９３６データトーン、３２パイロットトーン、および１１ＤＣを、
前記トーンプランが１２８０ＦＦＴトーンを有する場合、１１７０データトーン、４０パイロットトーン、および１１ＤＣを、
前記トーンプランが１５３６ＦＦＴトーンを有する場合、１４０４データトーン、４８パイロットトーン、および１１ＤＣを、
前記トーンプランが１７９２ＦＦＴトーンを有する場合、１６３８データトーン、５６パイロットトーン、および１１ＤＣを、
前記トーンプランが２０４８ＦＦＴトーンを有する場合、１８７２データトーン、６４パイロットトーン、および１１ＤＣを、
備える、請求項１に記載の装置。
【請求項１１】
前記ダウンリンクトーンプランに関する前記割り当てられたサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、請求項１に記載の装置。
【請求項１２】
前記アップリンクトーンプランに関する前記割り当てられたサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン
しか備えない、請求項１に記載の装置。
【請求項１３】
ワイヤレス通信の方法であって、
複数のデバイスの各々へのワイヤレス通信のためにリソースを割り当てることであって、前記リソースは、単一のアップリンクトーンプランまたはダウンリンクトーンプラン内のデータトーンのサブセット、または周波数のサブバンドのうちの少なくとも１つを備える、割り当てることと、
前記デバイスへの前記リソースの割り当てを提供することと、
前記割り当てられたサブバンドまたは前記割り当てられたサブセットのうちの少なくとも１つに関連付けられたアップリンクまたはダウンリンクトーンプランのうちの１つに従ってメッセージを処理することと、
を備える、ワイヤレス通信のための方法。
【請求項１４】
前記アップリンクトーンプランおよび前記ダウンリンクトーンプランは同じである、請求項１３に記載の方法。
【請求項１５】
前記アップリンクトーンプランは、前記ダウンリンクトーンプランとは異なる、請求項１３に記載の方法。
【請求項１６】
前記割り当てられたサブセットの各々は、１または複数のパイロットトーンをさらに備える、請求項１３に記載の方法。
【請求項１７】
前記メッセージは、１６μｓのシンボル持続時間を備える、請求項１３に記載の方法。
【請求項１８】
前記割り当てることは、
前記装置の通信モードに基づいて、利用可能な帯域幅、または利用可能な数のデータトーンのうちの少なくとも１つを決定することと、
前記利用可能な帯域幅または利用可能な数のデータトーンを、複数の周波数のサブバンドまたはデータトーンのサブセットにそれぞれ分割することと、
を備える、請求項１３に記載の方法。
【請求項１９】
前記ダウンリンクトーンプランまたはアップリンクトーンプランそれぞれに従って、前記メッセージを符号化または復号することをさらに備える、請求項１３に記載の方法。
【請求項２０】
前記アップリンクトーンプランまたはダウンリンクトーンプランは、
帯域幅が５ＭＨｚを備える場合、６４、
帯域幅が１０ＭＨｚを備える場合、１２８、
帯域幅が１５ＭＨｚを備える場合、１９２、
帯域幅が３０ＭＨｚを備える場合、３８４、
帯域幅が６０ＭＨｚを備える場合、７６８、
帯域幅が１００ＭＨｚを備える場合、１２８０、
帯域幅が１２０ＭＨｚを備える場合、１５３６、
帯域幅が１４０ＭＨｚを備える場合、１７９２、
の高速フーリエ変換（ＦＦＴ）サイズを使用する、請求項１３に記載の方法。
【請求項２１】
前記アップリンクトーンプランまたはダウンリンクトーンプランは、
帯域幅が２０ＭＨｚを備える場合、２５６、
帯域幅が４０ＭＨｚを備える場合、５１２、
帯域幅が８０ＭＨｚを備える場合、１０２４、
帯域幅が１６０ＭＨｚを備える場合、２０４８、
の高速フーリエ変換（ＦＦＴ）サイズを使用する、請求項１３に記載の方法。
【請求項２２】
前記アップリンクトーンプランまたはダウンリンクトーンプランは、
トーンプランが１６高速フーリエ変換（ＦＦＴ）トーンを有する場合、１０データトーン、２パイロットトーン、および１直流（ＤＣ）トーンを、
前記トーンプランが４８ＦＦＴトーンを有する場合、３８データトーン、２パイロットトーン、および１ＤＣトーンを、
前記トーンプランが９６ＦＦＴトーンを有する場合、８０データトーン、４パイロットトーン、および１ＤＣトーンを、
前記トーンプランが１９２ＦＦＴトーンを有する場合、１７１データトーン、６パイロットトーン、および３ＤＣを、
前記トーンプランが３２０ＦＦＴトーンを有する場合、２９２データトーン、８パイロットトーン、および５ＤＣを、
前記トーンプランが３８４ＦＦＴトーンを有する場合、３５０データトーン、１０パイロットトーン、および７ＤＣを、
前記トーンプランが４４８ＦＦＴトーンを有する場合、４０８データトーン、１０パイロットトーン、および９ＤＣを、
前記トーンプランが７６８ＦＦＴトーンを有する場合、７０２データトーン、２４パイロットトーン、および１１ＤＣを、
前記トーンプランが１０２４ＦＦＴトーンを有する場合、９３６データトーン、３２パイロットトーン、および１１ＤＣを、
前記トーンプランが１２８０ＦＦＴトーンを有する場合、１１７０データトーン、４０パイロットトーン、および１１ＤＣを、
前記トーンプランが１５３６ＦＦＴトーンを有する場合、１４０４データトーン、４８パイロットトーン、および１１ＤＣを、
前記トーンプランが１７９２ＦＦＴトーンを有する場合、１６３８データトーン、５６パイロットトーン、および１１ＤＣを、
前記トーンプランが２０４８を有する場合、１８７２データトーン、６４パイロットトーン、および１１ＤＣを、
備える、請求項１３に記載の方法。
【請求項２３】
前記ダウンリンクトーンプランに関する前記割り当てられたサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、請求項１３に記載の方法。
【請求項２４】
前記アップリンクトーンプランに関する前記割り当てられたサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン、
しか備えない、請求項１３に記載の方法。
【請求項２５】
ワイヤレス通信のための装置であって、
複数のデバイスの各々へのワイヤレス通信のためにリソースを割り当てるための手段であって、前記リソースは、単一のアップリンクトーンプランまたはダウンリンクトーンプラン内のデータトーンのサブセット、または周波数のサブバンドのうちの少なくとも１つを含む、割り当てるための手段と、
前記デバイスへの前記リソースの割り当てを提供するための手段と、
前記割り当てられたサブバンドまたは前記割り当てられたサブセットのうちの少なくとも１つに関連付けられたアップリンクまたはダウンリンクトーンプランのうちの１つに従ってメッセージを処理するための手段と、
を備える、ワイヤレス通信のための装置。
【請求項２６】
前記アップリンクトーンプランまたはダウンリンクトーンプランは、
帯域幅が５ＭＨｚを備える場合、６４、
帯域幅が１０ＭＨｚを備える場合、１２８、
帯域幅が１５ＭＨｚを備える場合、１９２、
帯域幅が３０ＭＨｚを備える場合、３８４、
帯域幅が６０ＭＨｚを備える場合、７６８、
帯域幅が１００ＭＨｚを備える場合、１２８０、
帯域幅が１２０ＭＨｚを備える場合、１５３６、
帯域幅が１４０ＭＨｚを備える場合、１７９２、
の高速フーリエ変換（ＦＦＴ）サイズを使用する、請求項２５に記載の装置。
【請求項２７】
前記アップリンクトーンプランまたはダウンリンクトーンプランは、
帯域幅が２０ＭＨｚを備える場合、２５６、
帯域幅が４０ＭＨｚを備える場合、５１２、
帯域幅が８０ＭＨｚを備える場合、１０２４、
帯域幅が１６０ＭＨｚを備える場合、２０４８、
の高速フーリエ変換（ＦＦＴ）サイズを使用する、請求項２５に記載の装置。
【請求項２８】
前記ダウンリンクトーンプランに関する前記割り当てられたサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、請求項２５に記載の装置。
【請求項２９】
前記アップリンクトーンプランに関する前記割り当てられたサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン、
しか備えない、請求項２５に記載の装置。
【請求項３０】
ワイヤレスノードであって、
アンテナと、
処理システムと、
を備え、前記処理システムは、
複数のデバイスの各々へのワイヤレス通信のためにリソースを割り当てることであって、前記リソースは、単一のアップリンクトーンプランまたはダウンリンクトーンプラン内のデータトーンのサブセット、または周波数のサブバンドのうちの少なくとも１つを備える、割り当てることと、
前記デバイスへの前記リソースの割り当てを提供することと、
前記割り当てられたサブバンドまたは前記割り当てられたサブセットのうちの少なくとも１つに関連付けられたアップリンクまたはダウンリンクトーンプランのうちの１つに従ってメッセージを処理することと、
を行うように構成される、ワイヤレスノード。
【発明の詳細な説明】
【技術分野】
【０００１】
[0001]  本開示のある特定の態様は一般に、ワイヤレス通信に関し、より具体的には、様々なトーンプランに従ってメッセージを提供するための方法および装置に関する。
【背景技術】
【０００２】
[0002]  多くの電気通信システムでは、通信ネットワークが、空間的に隔離されて対話するいくつかのデバイス間でメッセージを交換するために使用される。ネットワークは、例えば、都市エリア（metropolitan area）、ローカルエリア、またはパーソナルエリアであり得る、地理的範囲に従って分類され得る。そのようなネットワークは、それぞれ、ワイドエリアネットワーク（ＷＡＮ）、都市エリアネットワーク（ＭＡＮ）、ローカルエリアネットワーク（ＬＡＮ）、またはパーソナルエリアネットワーク（ＰＡＮ）と呼ばれ得る。ネットワークはまた、様々なネットワークノードおよびデバイスを相互接続するために使用される交換／ルーティングの技法（例えば、回路交換対パケット交換）、送信のために用いられる物理媒体のタイプ（例えば、有線対ワイヤレス）、および使用される通信プロトコルのセット（例えば、インターネットプロトコルスイート、ＳＯＮＥＴ（同期型光ネットワーキング）、イーサネット（登録商標）等）に従って、異なる。
【０００３】
[0003]  ワイヤレスネットワークは、ネットワーク要素が移動式であり、それにより動的接続の必要性を有するとき、またはネットワークアーキテクチャが固定式よりもむしろアドホックのトポロジにおいて形成される場合に、しばしば、好まれる。ワイヤレスネットワークは、電波（radio）、マイクロ波、赤外線、光（optical）等の周波数帯域において電磁波を使用する無誘導伝搬モード（unguided propagation mode）における無形（intangible）物理媒体を用いる。ワイヤレスネットワークは、固定式有線ネットワークと比べて、有利に、ユーザの移動性および迅速なフィールド展開を容易にする。
【０００４】
[0004]  ワイヤレスネットワークにおけるデバイスは、互いの間で情報を送信／受信し得る。デバイス送信は互いに干渉し得、ある特定の送信は他の送信を選択的にブロックし得る。多くのデバイスが通信ネットワークを共有する場合、輻輳および非効率なリンク使用に帰着し得る。そのため、高効率ワイヤレス通信ネットワークにおける通信効率を改善するためのシステム、方法、および非一時的コンピュータ可読媒体が必要とされる。
【発明の概要】
【０００５】
[0005]  添付される請求の範囲内のシステム、方法、およびデバイスの様々な実施形態は各々、いくつかの態様を有し、それらのどの１つも、本明細書で説明される望ましい属性を単独で担うものではない。添付の請求項の範囲を限定することなく、いくつかの顕著な特徴が本明細書で説明される。
【０００６】
[0006]  本明細書で説明される主題の１つまたは複数の実施形態の詳細は、添付図面および以下の説明で述べられる。他の特徴、態様、および利点は、説明、図面、および請求項から明らかになるであろう。以下の図の相対的な寸法は原寸通りに描かれていないことがあることに留意されたい。
【０００７】
[0007]  本開示の一態様は、ワイヤレス通信のための装置を提供する。装置は、複数のデバイスの各々へのワイヤレス通信のためにリソースを割り当てるように構成された処理システムを含む。リソースは、単一アップリンクまたはダウンリンクトーンプラン内のデータトーンのサブセット、または周波数のサブバンドのうちの少なくとも１つを含む。処理システムはさらに、デバイスへのリソース割り当てを提供するように構成される。処理システムはさらに、割り当てられたサブバンドまたは割り当てられたサブセットのうちの少なくとも１つに関連付けられたアップリンクまたはダウンリンクトーンプランのうちの１つに従ってメッセージを処理するように構成される。
【０００８】
[0008]  様々な態様において、アップリンクトーンプランおよびダウンリンクトーンプランは同じであり得る。様々な態様において、アップリンクトーンプランは、ダウンリンクトーンプランとは異なる。様々な態様において、割り当てられたサブセットの各々はさらに、１または複数のパイロットトーンを含み得る。様々な態様において、メッセージは、１３．６μｓ、１４．４μｓ、または１６μｓのシンボル持続時間を含み得る。
【０００９】
[0009]  様々な態様において、処理システムはさらに、装置の通信モードに基づいて、利用可能な帯域幅、または利用可能な数のデータトーンのうちの少なくとも１つを決定することによってリソースを割り当てるように構成される。処理システムはさらに、利用可能な帯域幅または利用可能な数のデータトーンを、複数の周波数のサブバンドまたはデータトーンのサブセットにそれぞれ分割するように構成され得る。様々な態様において、処理システムはさらに、ダウンリンクまたはアップリンクトーンプランそれぞれに従って、メッセージを符号化または復号するように構成される。
【００１０】
[0010]  様々な態様において、帯域幅が５ＭＨｚを備える場合、アップリンクまたはダウンリンクトーンプランは、６４の高速フーリエ変換（ＦＦＴ）サイズを使用し得る。帯域幅が１０ＭＨｚを備える場合、アップリンクまたはダウンリンクトーンプランは、１２８のＦＦＴサイズを使用し得る。帯域幅が５ＭＨｚを備える場合、アップリンクまたはダウンリンクトーンプランは、６４のＦＦＴサイズを使用し得る。帯域幅が１０ＭＨｚを備える場合、アップリンクまたはダウンリンクトーンプランは、１２８のＦＦＴサイズを使用し得る。帯域幅が１５ＭＨｚを備える場合、アップリンクまたはダウンリンクトーンプランは、１９２のＦＦＴサイズを使用し得る。帯域幅が２０ＭＨｚを備える場合、アップリンクまたはダウンリンクトーンプランは、２５６のＦＦＴサイズを使用し得る。帯域幅が３０ＭＨｚを備える場合、アップリンクまたはダウンリンクトーンプランは、３８４のＦＦＴサイズを使用し得る。帯域幅が４０ＭＨｚを備える場合、アップリンクまたはダウンリンクトーンプランは、５１２のＦＦＴサイズを使用し得る。帯域幅が６０ＭＨｚを備える場合、アップリンクまたはダウンリンクトーンプランは、７６８のＦＦＴサイズを使用し得る。帯域幅が８０ＭＨｚを備える場合、アップリンクまたはダウンリンクトーンプランは、１０２４のＦＦＴサイズを使用し得る。帯域幅が１００ＭＨｚを備える場合、アップリンクまたはダウンリンクトーンプランは、１２８０のＦＦＴサイズを使用し得る。帯域幅が１２０ＭＨｚを備える場合、アップリンクまたはダウンリンクトーンプランは、１５３６のＦＦＴサイズを使用し得る。帯域幅が１４０ＭＨｚを備える場合、アップリンクまたはダウンリンクトーンプランは、１７９２のＦＦＴサイズを使用し得る。帯域幅が１６０ＭＨｚを備える場合、アップリンクまたはダウンリンクトーンプランは、２０４８のＦＦＴサイズを使用し得る。
【００１１】
[0011]  様々な態様において、アップリンクまたはダウンリンクトーンプランは、トーンプランが１６ＦＦＴトーンを有する場合、１０データトーン、２パイロットトーン、および１直流（ＤＣ）トーンを含み得る。トーンプランが４８ＦＦＴトーンを有する場合、トーンプランは、３８データトーン、２パイロットトーン、および１ＤＣトーンを含み得る。トーンプランが９６ＦＦＴトーンを有する場合、トーンプランは、８０データトーン、４パイロットトーン、および１ＤＣトーンを含み得る。トーンプランが１９２ＦＦＴトーンを有する場合、トーンプランは、１７１データトーン、６パイロットトーン、および３ＤＣを含み得る。トーンプランが３２０ＦＦＴトーンを有する場合、トーンプランは、２９２データトーン、８パイロットトーン、および５ＤＣを含み得る。トーンプランが３８４ＦＦＴトーンを有する場合、トーンプランは、３５０データトーン、１０パイロットトーン、および７ＤＣを含み得る。トーンプランが４４８ＦＦＴトーンを有する場合、トーンプランは、４０８データトーン、１０パイロットトーン、および９ＤＣを含み得る。トーンプランが７６８ＦＦＴトーンを有する場合、トーンプランは、７０２データトーン、２４パイロットトーン、および１１ＤＣを含み得る。トーンプランが１０２４ＦＦＴトーンを有する場合、トーンプランは、９３６データトーン、３２パイロットトーン、および１１ＤＣを含み得る。トーンプランが１２８０ＦＦＴトーンを有する場合、トーンプランは、１１７０データトーン、４０パイロットトーン、および１１ＤＣを含み得る。トーンプランが１５３６ＦＦＴトーンを有する場合、トーンプランは、１４０４データトーン、４８パイロットトーン、および１１ＤＣを含み得る。トーンプランが１７９２ＦＦＴトーンを有する場合、トーンプランは、１６３８データトーン、５６パイロットトーン、および１１ＤＣを含み得る。トーンプランが２０４８ＦＦＴトーンを有する場合、トーンプランは、１８７２データトーン、６４パイロットトーン、および１１ＤＣを含み得る。
【００１２】
[0012]  様々な態様において、ダウンリンクトーンプランに関する割り当てられたサブセットの各々は、サブセットの帯域幅が５ＭＨｚを含む場合、１３データトーンしか含まない。割り当てられたサブセットの各々は、サブセットの帯域幅が１０ＭＨｚを含む場合、２６データトーンしか含まない。割り当てられたサブセットの各々は、サブセットの帯域幅が１５ＭＨｚを含む場合、３９データトーンしか含まない。割り当てられたサブセットの各々は、サブセットの帯域幅が２０ＭＨｚを含む場合、５２データトーンしか含まない。割り当てられたサブセットの各々は、サブセットの帯域幅が３０ＭＨｚを含む場合、８１データトーンしか含まない。割り当てられたサブセットの各々は、サブセットの帯域幅が４０ＭＨｚを含む場合、１０８データトーンしか含まない。割り当てられたサブセットの各々は、サブセットの帯域幅が６０ＭＨｚを含む場合、１７５データトーンしか含まない。割り当てられたサブセットの各々は、サブセットの帯域幅が８０ＭＨｚを含む場合、２３４データトーンしか含まない。割り当てられたサブセットの各々は、サブセットの帯域幅が１００ＭＨｚを含む場合、２９２データトーンしか含まない。割り当てられたサブセットの各々は、サブセットの帯域幅が１２０ＭＨｚを含む場合、３５１データトーンしか含まない。割り当てられたサブセットの各々は、サブセットの帯域幅が１４０ＭＨｚを含む場合、４０９データトーンしか含まない。
【００１３】
[0013]  様々な態様において、アップリンクトーンプランに関する割り当てられたサブセットの各々は、サブセットの帯域幅が５ＭＨｚを含む場合、１０データトーンおよび２パイロットトーンしか含まない。割り当てられたサブセットの各々は、サブセットの帯域幅が１０ＭＨｚを含む場合、２３データトーンおよび２パイロットトーンしか含まない。割り当てられたサブセットの各々は、サブセットの帯域幅が１５ＭＨｚを含む場合、３５データトーンおよび２パイロットトーンしか含まない。割り当てられたサブセットの各々は、サブセットの帯域幅が２０ＭＨｚを含む場合、４６データトーンおよび４パイロットトーンしか含まない。割り当てられたサブセットの各々は、サブセットの帯域幅が３０ＭＨｚを含む場合、７７データトーンおよび４パイロットトーンしか含まない。割り当てられたサブセットの各々は、サブセットの帯域幅が４０ＭＨｚを含む場合、１０２データトーンおよび６パイロットトーンしか含まない。割り当てられたサブセットの各々は、サブセットの帯域幅が６０ＭＨｚを含む場合、１７１データトーンおよび６パイロットトーンしか含まない。割り当てられたサブセットの各々は、サブセットの帯域幅が８０ＭＨｚを含む場合、２２８データトーンおよび８パイロットトーンしか含まない。割り当てられたサブセットの各々は、サブセットの帯域幅が１００ＭＨｚを含む場合、２９０データトーンおよび８パイロットトーンしか含まない。割り当てられたサブセットの各々は、サブセットの帯域幅が１２０ＭＨｚを含む場合、３４８データトーンおよび１０パイロットトーンしか含まない。割り当てられたサブセットの各々は、サブセットの帯域幅が１４０ＭＨｚを含む場合、４０８データトーンおよび１０パイロットトーンしか含まない。
【００１４】
[0014]  別の態様は、ワイヤレス通信の方法を提供する。方法は、複数のデバイスの各々へのワイヤレス通信のためにリソースを割り当てることを含む。リソースは、単一アップリンクまたはダウンリンクトーンプラン内のデータトーンのサブセット、または周波数のサブバンドのうちの少なくとも１つを含む。方法はさらに、デバイスへのリソース割り当てを提供することを含む。方法はさらに、割り当てられたサブバンドまたは割り当てられたサブセットのうちの少なくとも１つに関連付けられたアップリンクまたはダウンリンクトーンプランのうちの１つに従ってメッセージを処理することを含む。
【００１５】
[0015]  様々な態様において、アップリンクトーンプランおよびダウンリンクトーンプランは同じであり得る。様々な態様において、アップリンクトーンプランは、ダウンリンクトーンプランとは異なる。様々な態様において、割り当てられたサブセットの各々はさらに、１または複数のパイロットトーンを含み得る。様々な態様において、メッセージは、１３．６μｓ、１４．４μｓ、または１６μｓのシンボル持続時間を含み得る。
【００１６】
[0016]  様々な態様において、前記割り当てることは、装置の通信モードに基づいて、利用可能な帯域幅、または利用可能な数のデータトーンのうちの少なくとも１つを決定することを含み得る。方法はさらに、利用可能な帯域幅または利用可能な数のデータトーンを、複数の周波数のサブバンドまたはデータトーンのサブセットにそれぞれ分割することを含み得る。様々な態様において、方法はさらに、ダウンリンクまたはアップリンクトーンプランそれぞれに従って、メッセージを符号化または復号することを含み得る。
【００１７】
[0017]  様々な態様において、帯域幅が５ＭＨｚを備える場合、アップリンクまたはダウンリンクトーンプランは、６４の高速フーリエ変換（ＦＦＴ）サイズを使用し得る。帯域幅が１０ＭＨｚを備える場合、アップリンクまたはダウンリンクトーンプランは、１２８のＦＦＴサイズを使用し得る。帯域幅が５ＭＨｚを備える場合、アップリンクまたはダウンリンクトーンプランは、６４のＦＦＴサイズを使用し得る。帯域幅が１０ＭＨｚを備える場合、アップリンクまたはダウンリンクトーンプランは、１２８のＦＦＴサイズを使用し得る。帯域幅が１５ＭＨｚを備える場合、アップリンクまたはダウンリンクトーンプランは、１９２のＦＦＴサイズを使用し得る。帯域幅が２０ＭＨｚを備える場合、アップリンクまたはダウンリンクトーンプランは、２５６のＦＦＴサイズを使用し得る。帯域幅が３０ＭＨｚを備える場合、アップリンクまたはダウンリンクトーンプランは、３８４のＦＦＴサイズを使用し得る。帯域幅が４０ＭＨｚを備える場合、アップリンクまたはダウンリンクトーンプランは、５１２のＦＦＴサイズを使用し得る。帯域幅が６０ＭＨｚを備える場合、アップリンクまたはダウンリンクトーンプランは、７６８のＦＦＴサイズを使用し得る。帯域幅が８０ＭＨｚを備える場合、アップリンクまたはダウンリンクトーンプランは、１０２４のＦＦＴサイズを使用し得る。帯域幅が１００ＭＨｚを備える場合、アップリンクまたはダウンリンクトーンプランは、１２８０のＦＦＴサイズを使用し得る。帯域幅が１２０ＭＨｚを備える場合、アップリンクまたはダウンリンクトーンプランは、１５３６のＦＦＴサイズを使用し得る。帯域幅が１４０ＭＨｚを備える場合、アップリンクまたはダウンリンクトーンプランは、１７９２のＦＦＴサイズを使用し得る。帯域幅が１６０ＭＨｚを備える場合、アップリンクまたはダウンリンクトーンプランは、２０４８のＦＦＴサイズを使用し得る。
【００１８】
[0018]  様々な態様において、アップリンクまたはダウンリンクトーンプランは、トーンプランが１６ＦＦＴトーンを有する場合、１０データトーン、２パイロットトーン、および１直流（ＤＣ）トーンを含み得る。トーンプランが４８ＦＦＴトーンを有する場合、トーンプランは、３８データトーン、２パイロットトーン、および１ＤＣトーンを含み得る。トーンプランが９６ＦＦＴトーンを有する場合、トーンプランは、８０データトーン、４パイロットトーン、および１ＤＣトーンを含み得る。トーンプランが１９２ＦＦＴトーンを有する場合、トーンプランは、１７１データトーン、６パイロットトーン、および３ＤＣを含み得る。トーンプランが３２０ＦＦＴトーンを有する場合、トーンプランは、２９２データトーン、８パイロットトーン、および５ＤＣを含み得る。トーンプランが３８４ＦＦＴトーンを有する場合、トーンプランは、３５０データトーン、１０パイロットトーン、および７ＤＣを含み得る。トーンプランが４４８ＦＦＴトーンを有する場合、トーンプランは、４０８データトーン、１０パイロットトーン、および９ＤＣを含み得る。トーンプランが７６８ＦＦＴトーンを有する場合、トーンプランは、７０２データトーン、２４パイロットトーン、および１１ＤＣを含み得る。トーンプランが１０２４ＦＦＴトーンを有する場合、トーンプランは、９３６データトーン、３２パイロットトーン、および１１ＤＣを含み得る。トーンプランが１２８０ＦＦＴトーンを有する場合、トーンプランは、１１７０データトーン、４０パイロットトーン、および１１ＤＣを含み得る。トーンプランが１５３６ＦＦＴトーンを有する場合、トーンプランは、１４０４データトーン、４８パイロットトーン、および１１ＤＣを含み得る。トーンプランが１７９２ＦＦＴトーンを有する場合、トーンプランは、１６３８データトーン、５６パイロットトーン、および１１ＤＣを含み得る。トーンプランが２０４８ＦＦＴトーンを有する場合、トーンプランは、１８７２データトーン、６４パイロットトーン、および１１ＤＣを含み得る。
【００１９】
[0019]  様々な態様において、ダウンリンクトーンプランに関する割り当てられたサブセットの各々は、サブセットの帯域幅が５ＭＨｚを含む場合、１３データトーンしか含まない。割り当てられたサブセットの各々は、サブセットの帯域幅が１０ＭＨｚを含む場合、２６データトーンしか含まない。割り当てられたサブセットの各々は、サブセットの帯域幅が１５ＭＨｚを含む場合、３９データトーンしか含まない。割り当てられたサブセットの各々は、サブセットの帯域幅が２０ＭＨｚを含む場合、５２データトーンしか含まない。割り当てられたサブセットの各々は、サブセットの帯域幅が３０ＭＨｚを含む場合、８１データトーンしか含まない。割り当てられたサブセットの各々は、サブセットの帯域幅が４０ＭＨｚを含む場合、１０８データトーンしか含まない。割り当てられたサブセットの各々は、サブセットの帯域幅が６０ＭＨｚを含む場合、１７５データトーンしか含まない。割り当てられたサブセットの各々は、サブセットの帯域幅が８０ＭＨｚを含む場合、２３４データトーンしか含まない。割り当てられたサブセットの各々は、サブセットの帯域幅が１００ＭＨｚを含む場合、２９２データトーンしか含まない。割り当てられたサブセットの各々は、サブセットの帯域幅が１２０ＭＨｚを含む場合、３５１データトーンしか含まない。割り当てられたサブセットの各々は、サブセットの帯域幅が１４０ＭＨｚを含む場合、４０９データトーンしか含まない。
【００２０】
[0020]  様々な態様において、アップリンクトーンプランに関する割り当てられたサブセットの各々は、サブセットの帯域幅が５ＭＨｚを含む場合、１０データトーンおよび２パイロットトーンしか含まない。割り当てられたサブセットの各々は、サブセットの帯域幅が１０ＭＨｚを含む場合、２３データトーンおよび２パイロットトーンしか含まない。割り当てられたサブセットの各々は、サブセットの帯域幅が１５ＭＨｚを含む場合、３５データトーンおよび２パイロットトーンしか含まない。割り当てられたサブセットの各々は、サブセットの帯域幅が２０ＭＨｚを含む場合、４６データトーンおよび４パイロットトーンしか含まない。割り当てられたサブセットの各々は、サブセットの帯域幅が３０ＭＨｚを含む場合、７７データトーンおよび４パイロットトーンしか含まない。割り当てられたサブセットの各々は、サブセットの帯域幅が４０ＭＨｚを含む場合、１０２データトーンおよび６パイロットトーンしか含まない。割り当てられたサブセットの各々は、サブセットの帯域幅が６０ＭＨｚを含む場合、１７１データトーンおよび６パイロットトーンしか含まない。割り当てられたサブセットの各々は、サブセットの帯域幅が８０ＭＨｚを含む場合、２２８データトーンおよび８パイロットトーンしか含まない。割り当てられたサブセットの各々は、サブセットの帯域幅が１００ＭＨｚを含む場合、２９０データトーンおよび８パイロットトーンしか含まない。割り当てられたサブセットの各々は、サブセットの帯域幅が１２０ＭＨｚを含む場合、３４８データトーンおよび１０パイロットトーンしか含まない。割り当てられたサブセットの各々は、サブセットの帯域幅が１４０ＭＨｚを含む場合、４０８データトーンおよび１０パイロットトーンしか含まない。
【００２１】
[0021]  別の態様は、ワイヤレス通信のための別の装置を提供する。装置は、複数のデバイスの各々へのワイヤレス通信のためにリソースを割り当てるための手段を含む。リソースは、単一アップリンクまたはダウンリンクトーンプラン内のデータトーンのサブセット、または周波数のサブバンドのうちの少なくとも１つを含む。装置はさらに、デバイスへのリソース割り当てを提供するための手段を含む。装置はさらに、割り当てられたサブバンドまたは割り当てられたサブセットのうちの少なくとも１つに関連付けられたアップリンクまたはダウンリンクトーンプランのうちの１つに従ってメッセージを処理するための手段を含む。
【００２２】
[0022]  様々な態様において、帯域幅が５ＭＨｚを備える場合、アップリンクまたはダウンリンクトーンプランは、６４の高速フーリエ変換（ＦＦＴ）サイズを使用し得る。帯域幅が１０ＭＨｚを備える場合、アップリンクまたはダウンリンクトーンプランは、１２８のＦＦＴサイズを使用し得る。帯域幅が５ＭＨｚを備える場合、アップリンクまたはダウンリンクトーンプランは、６４のＦＦＴサイズを使用し得る。帯域幅が１０ＭＨｚを備える場合、アップリンクまたはダウンリンクトーンプランは、１２８のＦＦＴサイズを使用し得る。帯域幅が１５ＭＨｚを備える場合、アップリンクまたはダウンリンクトーンプランは、１９２のＦＦＴサイズを使用し得る。帯域幅が２０ＭＨｚを備える場合、アップリンクまたはダウンリンクトーンプランは、２５６のＦＦＴサイズを使用し得る。帯域幅が３０ＭＨｚを備える場合、アップリンクまたはダウンリンクトーンプランは、３８４のＦＦＴサイズを使用し得る。帯域幅が４０ＭＨｚを備える場合、アップリンクまたはダウンリンクトーンプランは、５１２のＦＦＴサイズを使用し得る。帯域幅が６０ＭＨｚを備える場合、アップリンクまたはダウンリンクトーンプランは、７６８のＦＦＴサイズを使用し得る。帯域幅が８０ＭＨｚを備える場合、アップリンクまたはダウンリンクトーンプランは、１０２４のＦＦＴサイズを使用し得る。帯域幅が１００ＭＨｚを備える場合、アップリンクまたはダウンリンクトーンプランは、１２８０のＦＦＴサイズを使用し得る。帯域幅が１２０ＭＨｚを備える場合、アップリンクまたはダウンリンクトーンプランは、１５３６のＦＦＴサイズを使用し得る。帯域幅が１４０ＭＨｚを備える場合、アップリンクまたはダウンリンクトーンプランは、１７９２のＦＦＴサイズを使用し得る。帯域幅が１６０ＭＨｚを備える場合、アップリンクまたはダウンリンクトーンプランは、２０４８のＦＦＴサイズを使用し得る。
【００２３】
[0023]  様々な態様において、アップリンクまたはダウンリンクトーンプランは、トーンプランが１６ＦＦＴトーンを有する場合、１０データトーン、２パイロットトーン、および１直流（ＤＣ）トーンを含み得る。トーンプランが４８ＦＦＴトーンを有する場合、トーンプランは、３８データトーン、２パイロットトーン、および１ＤＣトーンを含み得る。トーンプランが９６ＦＦＴトーンを有する場合、トーンプランは、８０データトーン、４パイロットトーン、および１ＤＣトーンを含み得る。トーンプランが１９２ＦＦＴトーンを有する場合、トーンプランは、１７１データトーン、６パイロットトーン、および３ＤＣを含み得る。トーンプランが３２０ＦＦＴトーンを有する場合、トーンプランは、２９２データトーン、８パイロットトーン、および５ＤＣを含み得る。トーンプランが３８４ＦＦＴトーンを有する場合、トーンプランは、３５０データトーン、１０パイロットトーン、および７ＤＣを含み得る。トーンプランが４４８ＦＦＴトーンを有する場合、トーンプランは、４０８データトーン、１０パイロットトーン、および９ＤＣを含み得る。トーンプランが７６８ＦＦＴトーンを有する場合、トーンプランは、７０２データトーン、２４パイロットトーン、および１１ＤＣを含み得る。トーンプランが１０２４ＦＦＴトーンを有する場合、トーンプランは、９３６データトーン、３２パイロットトーン、および１１ＤＣを含み得る。トーンプランが１２８０ＦＦＴトーンを有する場合、トーンプランは、１１７０データトーン、４０パイロットトーン、および１１ＤＣを含み得る。トーンプランが１５３６ＦＦＴトーンを有する場合、トーンプランは、１４０４データトーン、４８パイロットトーン、および１１ＤＣを含み得る。トーンプランが１７９２ＦＦＴトーンを有する場合、トーンプランは、１６３８データトーン、５６パイロットトーン、および１１ＤＣを含み得る。トーンプランが２０４８ＦＦＴトーンを有する場合、トーンプランは、１８７２データトーン、６４パイロットトーン、および１１ＤＣを含み得る。
【００２４】
[0024]  様々な態様において、ダウンリンクトーンプランに関する割り当てられたサブセットの各々は、サブセットの帯域幅が５ＭＨｚを含む場合、１３データトーンしか含まない。割り当てられたサブセットの各々は、サブセットの帯域幅が１０ＭＨｚを含む場合、２６データトーンしか含まない。割り当てられたサブセットの各々は、サブセットの帯域幅が１５ＭＨｚを含む場合、３９データトーンしか含まない。割り当てられたサブセットの各々は、サブセットの帯域幅が２０ＭＨｚを含む場合、５２データトーンしか含まない。割り当てられたサブセットの各々は、サブセットの帯域幅が３０ＭＨｚを含む場合、８１データトーンしか含まない。割り当てられたサブセットの各々は、サブセットの帯域幅が４０ＭＨｚを含む場合、１０８データトーンしか含まない。割り当てられたサブセットの各々は、サブセットの帯域幅が６０ＭＨｚを含む場合、１７５データトーンしか含まない。割り当てられたサブセットの各々は、サブセットの帯域幅が８０ＭＨｚを含む場合、２３４データトーンしか含まない。割り当てられたサブセットの各々は、サブセットの帯域幅が１００ＭＨｚを含む場合、２９２データトーンしか含まない。割り当てられたサブセットの各々は、サブセットの帯域幅が１２０ＭＨｚを含む場合、３５１データトーンしか含まない。割り当てられたサブセットの各々は、サブセットの帯域幅が１４０ＭＨｚを含む場合、４０９データトーンしか含まない。
【００２５】
[0025]  様々な態様において、アップリンクトーンプランに関する割り当てられたサブセットの各々は、サブセットの帯域幅が５ＭＨｚを含む場合、１０データトーンおよび２パイロットトーンしか含まない。割り当てられたサブセットの各々は、サブセットの帯域幅が１０ＭＨｚを含む場合、２３データトーンおよび２パイロットトーンしか含まない。割り当てられたサブセットの各々は、サブセットの帯域幅が１５ＭＨｚを含む場合、３５データトーンおよび２パイロットトーンしか含まない。割り当てられたサブセットの各々は、サブセットの帯域幅が２０ＭＨｚを含む場合、４６データトーンおよび４パイロットトーンしか含まない。割り当てられたサブセットの各々は、サブセットの帯域幅が３０ＭＨｚを含む場合、７７データトーンおよび４パイロットトーンしか含まない。割り当てられたサブセットの各々は、サブセットの帯域幅が４０ＭＨｚを含む場合、１０２データトーンおよび６パイロットトーンしか含まない。割り当てられたサブセットの各々は、サブセットの帯域幅が６０ＭＨｚを含む場合、１７１データトーンおよび６パイロットトーンしか含まない。割り当てられたサブセットの各々は、サブセットの帯域幅が８０ＭＨｚを含む場合、２２８データトーンおよび８パイロットトーンしか含まない。割り当てられたサブセットの各々は、サブセットの帯域幅が１００ＭＨｚを含む場合、２９０データトーンおよび８パイロットトーンしか含まない。割り当てられたサブセットの各々は、サブセットの帯域幅が１２０ＭＨｚを含む場合、３４８データトーンおよび１０パイロットトーンしか含まない。割り当てられたサブセットの各々は、サブセットの帯域幅が１４０ＭＨｚを含む場合、４０８データトーンおよび１０パイロットトーンしか含まない。
【００２６】
[0026]  別の態様は、ワイヤレスノードを提供する。ノードは、アンテナおよび処理システムを含む。処理システムは、複数のデバイスの各々へのワイヤレス通信のためにリソースを割り当てるように構成される。リソースは、単一アップリンクまたはダウンリンクトーンプラン内のデータトーンのサブセット、または周波数のサブバンドのうちの少なくとも１つを含む。処理システムはさらに、デバイスへのリソース割り当てを提供するように構成される。処理システムはさらに、割り当てられたサブバンドまたは割り当てられたサブセットのうちの少なくとも１つに関連付けられたアップリンクまたはダウンリンクトーンプランのうちの１つに従ってメッセージを処理するように構成される。
【図面の簡単な説明】
【００２７】
【図１】本開示の態様が用いられ得るワイヤレス通信システムの例を例示する。
【図２】図１のワイヤレス通信システム内で用いられ得るワイヤレスデバイスにおいて利用され得る様々なコンポーネントを例示する。
【図３】一態様に従った、実例的な帯域幅割り当ての図である。
【図４】一態様に従った、実例的なトーンプランを示す。
【図５】図１のワイヤレス通信システム内で用いられ得るワイヤレス通信の実例的な方法のためのフローチャートを示す。
【図６】一態様に従った、実例的な帯域幅割り当ての図である。
【図７】図１のワイヤレス通信システム内で用いられ得るワイヤレス通信の別の実例的な方法のためのフローチャートを示す。
【詳細な説明】
【００２８】
[0034]  新規のシステム、装置、および方法の様々な態様が、添付の図面を参照して以下でより十分に説明される。しかしながら、教示の開示は、多くの異なる形式で具現化され得、本開示全体を通して提示される何らかの特定の構造または機能に限定されるものとして解釈されるべきではない。むしろ、これらの態様は、本開示が徹底的で完全になるように提供されており、当業者に本開示の範囲を十分に伝えることになる。本明細書での教示に基づき、当業者は、本開示の他のいずれの態様からも独立して実施されようと、本発明のいずれの他の態様と組み合わせて実行されようと、本明細書で開示される新規のシステム、装置、および方法の任意の態様をカバーするように本開示の範囲が意図されることを認識すべきである。例えば、本明細書で述べられる任意の数の態様を使用して、装置は実施され得る、または方法は実施され得る。加えて、本発明の範囲は、本明細書で述べられる発明の様々な態様に加えた、または本明細書で述べられる発明の様々な態様以外の、他の構造、機能、または構造および機能を使用して実施されるこのような装置または方法をカバーするように意図される。本明細書で開示されるいずれの態様も請求項の１つまたは複数の要素によって具現化され得ることが理解されるべきである。
【００２９】
[0035]  特定の態様が本明細書で説明されるものの、これらの態様の多くの変形および置換が、本開示の範囲内に入る。好まれる態様のいくつかの利益および利点が言及されるものの、本開示の範囲は、特定の利益、使用、または目的に限定されるようには意図されていない。むしろ本開示の態様は、異なるワイヤレス技術、システム構成、ネットワーク、および送信プロトコルに広く適用可能であるように意図されており、それらのうちのいくつかが、図において、および好まれる態様の以下の説明において例として例示される。詳細な説明および図面は、限定よりもむしろ本開示を単に例示するものであり、本開示の範囲は、添付の請求項およびそれらの均等物によって定義される。
【００３０】
[0036]  ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近くのデバイスを互いに相互接続するように使用され得る。本明細書で説明される様々な態様は、Ｗｉ−Ｆｉ、またはより一般には、ＩＥＥＥ８０２．１１ワイヤレスプロトコルファミリ（IEEE 802.11 family of wireless protocols）の任意のメンバ、のようないずれの通信規格にも適用し得る。
【００３１】
[0037]  いくつかの態様では、ワイヤレス信号が、直交周波数分割多重化（ＯＦＤＭ）、直接拡散方式（ＤＳＳＳ）通信、ＯＦＤＭとＤＳＳＳ通信の組み合わせ、または他のスキームを使用する高効率８０２．１１プロトコルに従って送信され得る。高効率８０２．１１プロトコルの実施形態は、インターネットアクセス、センサ、メータリング、スマートグリッドネットワーク、または他のワイヤレスアプリケーションのために使用され得る。有利なことに、この特定のワイヤレスプロトコルを実施するある特定のデバイスの態様は、他のワイヤレスプロトコルを実施するデバイスよりも少ない電力を消費し得る、短い距離をわたってワイヤレス信号を送信するために使用され得る、および／または人間のようなオブジェクトによってブロックされる可能性がより低い状態で（less likely）、信号を送信可能であり得る。
【００３２】
[0038]  いくつかの実施形態では、ＷＬＡＮが、ワイヤレスネットワークにアクセスするコンポーネントである様々なデバイスを含む。例えば、２つのタイプのデバイス：アクセスポイント（「ＡＰ」）およびクライアント（局または「ＳＴＡ」とも称される）が存在し得る。一般に、ＡＰは、ＷＬＡＮのためのハブまたは基地局としての役割を果たし、ＳＴＡは、ＷＬＡＮのユーザとしての役割を果たし得る。例えば、ＳＴＡは、ラップトップコンピュータ、パーソナルデジタルアシスタント（ＰＤＡ）、携帯電話等であり得る。ある例では、ＳＴＡが、インターネットへの、または他のワイドエリアネットワークへの一般的な接続を取得するために、Ｗｉ−Ｆｉ（例えば、８０２．１１ａｈのようなＩＥＥＥ８０２．１１プロトコル）対応ワイヤレスリンクを介してＡＰに接続する。いくつかの実施形態では、ＳＴＡがＡＰとしても使用され得る。
【００３３】
[0039]  本明細書で説明される技法は、直交多重化スキームに基づく通信システムを含む、様々なブロードバンドワイヤレス通信システムのために使用され得る。このような通信システムの例は、空間分割多元接続（ＳＤＭＡ）、時分割多元接続（ＴＤＭＡ）、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、十分に異なる方向を利用し得る。ＴＤＭＡシステムは、複数のユーザ端末が、送信信号を異なる時間スロットに分割することであって、各時間スロットが異なるユーザ端末に割り当てられる、ことによって同じ周波数チャネルを共有することを可能にし得る。ＴＤＭＡシステムは、ＧＭＳまたは当技術分野において知られる何らかの他の規格を実施し得る。ＯＦＤＭＡシステムは、システム帯域幅全体を複数の直交サブキャリアに区分化する変調技法である、直交周波数分割多重化（ＯＦＤＭ）を利用する。これらのサブキャリアはまた、トーン、ビン等とも呼ばれ得る。ＯＦＤＭでは、それぞれのサブキャリアがデータで独立して変調され得る。ＯＦＤＭシステムは、ＩＥＥＥ８０２．１１または当技術分野において知られる何らかの他の規格を実施し得る。ＳＣ−ＦＤＭＡシステムは、システム帯域幅にわたって分散されるサブキャリア上で送信するためのインターリーブされたＦＤＭＡ（ＩＦＤＭＡ）、隣接のサブキャリアのブロック上で送信するための局所化されたＦＤＭＡ（ＬＦＤＭＡ）、または隣接のサブキャリアの複数のブロック上で送信するための強化されたＦＤＭＡ（ＥＦＤＭＡ）を使用し得る。一般に、変調シンボルは、ＯＦＤＭでは周波数ドメインにおいて、およびＳＣ−ＦＤＭＡでは時間ドメインにおいて送られる。ＳＣ−ＦＤＭＡシステムは、３ＧＰＰ（登録商標）−ＬＴＥ（登録商標）（第３世代パートナーシッププロジェクトのロングタームエボリューション）または他の規格を実施し得る。
【００３４】
[0040]  本明細書における教示は、様々な有線またはワイヤレス装置（例えば、ノード）に組み込まれ得る（例えば、これら内で実施される、またはこれらによって行われる）。いくつかの態様では、本明細書における教示に従って実施されるワイヤレスノードが、アクセスポイントまたはアクセス端末を備え得る。
【００３５】
[0041]  アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（Transcceiver Function）（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備え得る、これらとして実施され得る、またはこれらとして知られ得る。
【００３６】
[0042]  局（「ＳＴＡ」）はまた、ユーザ端末、アクセス端末（「ＡＴ」）、加入者局、加入者ユニット、移動局、遠隔局、遠隔端末、ユーザエージェント、ユーザデバイス、ユーザ機器、または何らかの他の専門用語を備え得る、これらとして実施され得る、またはこれらとして知られ得る。いくつかの実施形態では、アクセス端末が、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、またはワイヤレスモデムに接続された何らかの他の適した処理デバイスを備え得る。従って、本明細書で教示される１つまたは複数の態様は、電話機（例えば、セルラ電話またはスマートフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽もしくはビデオデバイス、または衛星ラジオ）、ゲームデバイスまたはシステム、グローバルポジショニングシステムデバイス、またはワイヤレス媒体を介して通信するように構成されるどのほかの適したデバイスにも組み込まれ得る。
【００３７】
[0043]  上で論じられたように、本明細書で説明されるデバイスのうちのいくつかは、例えば、８０２．１１ａｈ規格を実施し得る。そのようなデバイスは、ＳＴＡとして使用されようと、ＡＰとして使用されようと、他のデバイスとして使用されようと、スマートメータリングのために、またはスマートグリッドネットワークにおいて使用され得る。そのようなデバイスは、センサアプリケーションを提供し得るか、またはホームオートメーションにおいて使用され得る。デバイスは、代わりにまたは加えて、例えば個人的なヘルスケアのために、ヘルスケアコンテキストにおいて使用され得る。それらはまた、（例えば、ホットスポットを用いて使用する）拡張範囲の（extended-range）インターネット接続を可能にするために、または機械対機械の通信を実施するために、見張り（surveillance）用に使用され得る。
【００３８】
[0044]  図１は、本開示の態様が用いられ得るワイヤレス通信システム１００の例を例示する。ワイヤレス通信システム１００は、ワイヤレス規格、例えば、８０２．１１ａｈ、８０２．１１ａｃ、８０２．１１ｎ、８０２．１１ｇ、および８０２．１１ｂ規格のうちの少なくとも１つに準じて動作し得る。ワイヤレス通信システム１００は、ＳＴＡ１０６と通信する、ＡＰ１０４を含み得る。
【００３９】
[0045]  様々なプロセスおよび方法は、ＡＰ１０４とＳＴＡ１０６との間のワイヤレス通信システム１００における送信のために使用され得る。例えば、信号は、ＯＦＤＭ／ＯＦＤＭＡ技法に従って、ＡＰ１０４とＳＴＡ１０６との間で送信および受信され得る。この場合、ワイヤレス通信システム１００は、ＯＦＤＭ／ＯＦＤＭＡシステムと称され得る。代わりとして、信号は、ＣＤＭＡ技法に従って、ＡＰ１０４とＳＴＡ１０６との間で送信および受信され得る。この場合には、ワイヤレス通信システム１００は、ＣＤＭＡシステムと称され得る。
【００４０】
[0046]  ＡＰ１０４からＳＴＡ１０６のうちの１つまたは複数ヘの送信を容易にする通信リンクは、ダウンリンク（ＤＬ）１０８と称され得、ＳＴＡ１０６のうちの１つまたは複数からＡＰ１０４への送信を容易にする通信リンクは、アップリンク（ＵＬ）１１０と称され得る。代わりとして、ダウンリンク１０８は、順方向リンクまたは順方向チャネルと称され得、アップリンク１１０は、逆方向リンクまたは逆方向チャネルと称され得る。
【００４１】
[0047]  ＡＰ１０４は、基地サービスエリア（ＢＳＡ）１０２においてワイヤレス通信カバレッジを提供し得る。ＡＰ１０４は、ＡＰ１０４に関連付けられた、および通信のためにＡＰ１０４を使用するＳＴＡ１０６とともに、基本サービスセット（ＢＳＳ）と称され得る。ワイヤレス通信システム１００は、中央ＡＰ１０４を有さず、むしろＳＴＡ１０６間のピアツーピアネットワークとして機能し得ることは留意されるべきである。従って、本明細書で説明されるＡＰ１０４の機能は、代わりとして、ＳＴＡ１０６のうちの１つまたは複数によって行われ得る。
【００４２】
[0048]  図２は、ワイヤレス通信システム１００内で用いられ得るワイヤレスデバイス２０２において利用され得る様々なコンポーネントを例示する。ワイヤレスデバイス２０２は、本明細書で説明される様々な方法を実施するように構成され得るデバイスの例である。例えば、ワイヤレスデバイス２０２は、ＡＰ１０４、またはＳＴＡ１０６のうちの１つを備え得る。
【００４３】
[0049]  ワイヤレスデバイス２０２は、ワイヤレスデバイス２０２の動作を制御するプロセッサ２０４を含み得る。プロセッサ２０４は、中央処理ユニット（ＣＰＵ）とも称され得る。読み取り専用メモリ（ＲＯＭ）およびランダムアクセスメモリ（ＲＡＭ）の両方を含み得るメモリ２０６は、プロセッサ２０４に命令およびデータを提供する。メモリ２０６の一部はまた、不揮発性ランダムアクセスメモリ（ＮＶＲＡＭ）を含み得る。プロセッサ２０４は通常、メモリ２０６内に記憶されたプログラム命令に基づいて、論理および算術演算を行う。メモリ２０６における命令は、本明細書で説明される方法を実施するように実行可能であり得る。
【００４４】
[0050]  プロセッサ２０４は、１つまたは複数のプロセッサを用いて実施される処理システムのコンポーネントを備え得る、または処理システムのコンポーネントであり得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理回路、ディスクリートハードウェアコンポーネント、専用ハードウェア有限ステートマシン、あるいは情報の計算または他の操作を行い得る任意の他の適したエンティティ、の任意の組み合わせで実施され得る。
【００４５】
[0051]  処理システムはまた、実行されるとき、中継器対応（relay-compatible）ワイヤレスデバイスの中継動作を変更するための１つまたは複数の方法に関連付けられた１つまたは複数のステップを装置に行わせる命令でその上に符号化されたコンピュータ可読媒体を備える通信のためのコンピュータプログラム製品を含み、得る。命令は、ソースコードフォーマット、バイナリコードフォーマット、実行可能コードフォーマット、またはコードの任意の他の適したフォーマットを含み得る。１つまたは複数のプロセッサによって実行されるとき、コードまたは命令は、処理システムに本明細書で説明される様々な機能を行わせる。
【００４６】
[0052]  ワイヤレスデバイス２０２はまた、ワイヤレスデバイス２０２とリモート位置との間でのデータの送信および受信を可能にするために、送信機２１０およびは受信機２１２を含み得るハウジング２０８も含み得る。送信機２１０および受信機２１２は、トランシーバ２１４に組み合わされ得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナ（図示せず）を含み得、それらは、例えば、ＭＩＭＯ通信中に利用され得る。
【００４７】
[0053]  ワイヤレスデバイス２０２はまた、トランシーバ２１４によって受信された信号のレベルを検出および定量化しようとするのに使用され得る信号検出器２１８を含み得る。信号検出器２１８は、総エネルギー、シンボルあたりのサブキャリア毎のエネルギー、電力スペクトル密度、および他の信号のような信号を検出し得る。ワイヤレスデバイス２０２はまた、信号を処理する際に使用するデジタルシグナルプロセッサ（ＤＳＰ）２２０も含み得る。ＤＳＰ２２０は、送信のために、データユニットを生成するように構成され得る。いくつかの態様では、データユニットが、物理レイヤデータユニット（ＰＰＤＵ）を備え得る。いくつかの態様では、ＰＰＤＵが、パケットと称される。
【００４８】
[0054]  ワイヤレスデバイス２０２は、いくつかの態様において、ユーザインタフェース２２２をさらに備え得る。ユーザインタフェース２２２は、キーバッド、マイクロフォン、スピーカ、および／またはディスプレイを備え得る。ユーザインタフェース２２２は、ワイヤレスデバイス２０２のユーザに情報を搬送する、および／またはユーザから入力を受信する任意の要素またはコンポーネントを含み得る。
【００４９】
[0055]  ワイヤレスデバイス２０２の様々なコンポーネントは、バスシステム２２６によって互いに結合され得る。バスシステム２２６は、データパスはもちろん、例えば、データバスに加えた、電力バス（power bus）、制御信号バスおよびステータス信号バスを含み得る。当業者は、ワイヤレスデバイス２０２のコンポーネントが、何らかの他のメカニズムを使用して互いに結合され得る、または入力を受け取るか、提供し得ることを認識するであろう。
【００５０】
[0056]  いくつかの別個のコンポーネントが図２において例示されるものの、当業者は、コンポーネントのうちの１つまたは複数が組み合わされるか、または共通に（commonly）実施され得ることを認識するであろう。例えば、プロセッサ２０４は、プロセッサ２０４に関して上で説明された機能を実施するだけでなく、信号検出器２１８および／またはＤＳＰ２２０に関して上で説明された機能を実施するためにも使用され得る。さらに、図２において例示されるコンポーネントの各々は、複数の別個の要素を使用して実施され得る。
【００５１】
[0057]  上で論じられたように、ワイヤレスデバイス２０２は、ＡＰ１０４またはＳＴＡ１０６を備え得、通信を送信および／または受信するために使用され得る。ワイヤレスネットワークにおけるデバイス間で交換される通信は、パケットまたはフレームを備え得るデータユニットを含み得る。いくつかの態様では、データユニットが、データフレーム、制御フレーム、および／または管理フレームを含み得る。データフレームは、ＡＰおよび／またはＳＴＡから他のＡＰおよび／またはＳＴＡに送信するために使用され得る。制御フレームは、様々な動作を行うために、およびデータを確実に配信する（例えば、データの受信を肯定応答すること、ＡＰのポーリング、エリアクリアリング動作、チャネル獲得、キャリア感知維持機能、等）ためにデータフレームと共に使用され得る。管理フレームは、様々な監視機能（例えば、ワイヤレスネットワークを連結し、ワイヤレスネットワークから外れる）ために使用され得る。
【００５２】
[0058]  本開示のある特定の態様は、ＡＰ１０４が効率を向上させるための最適化された方法でＳＴＡ１０６に送信を割り当てることを可能にすることをサポートする。高効率ワイヤレス（ＨＥＷ）局、（８０２．１１ａｘのような）８０２．１１高効率プロトコルを利用する局、および（８０２．１１ｂのような）より旧型（older）またはレガシー８０２．１１プロトコルを使用する局の両方は、ワイヤレス媒体へのアクセスのために競合または協調し得る。いくつかの態様において、本明細書で説明される高効率８０２．１１プロトコルは、ＨＥＷおよびレガシー局が、様々なＯＦＤＭトーンプランに従って相互動作することを可能にし得る。いくつかの態様において、ＨＥＷ局は、より効率的な方法でワイヤレス媒体にアクセスし得る。従って、アパートビルまたは人口密度の高い公的スペースのケースでは、高効率８０２．１１プロトコルを使用するＡＰおよび／またはＳＴＡは、アクティブなワイヤレスデバイスの数が増加しても、低減されたレイテンシおよび増加したネットワークスループットを経験し得、それによりユーザエクスペリエンスを向上させる。
【００５３】
[0059]  いくつかの態様では、ＡＰ１０４が、ＨＥＷおよび／またはレガシーＳＴＡのためのＤＬおよびＵＬトーンプランを割り当てることによって、ワイヤレス媒体へのアクセスを制御し得る。例えば、図１に関して、ＳＴＡ１０６Ａ−１０６Ｃは、ＨＥＷ  ＳＴＡであり得、１０６Ｄは、レガシーＳＴＡであり得る。この態様では、ＨＥＷ  ＳＴＡ１０６Ａ−１０６ＣとレガシーＳＴＡ１０６Ｄとの間の同時動作を可能にすることが望ましくあり得る。いくつかの態様では、ＡＰ１０４が、ＳＴＡ１０６Ａ−１０６Ｄの各々に別個の物理サブバンドを割り当てるように構成され得る。従って、各ＳＴＡ１０６Ａ−１０６Ｄは、個々のトーンプラン（トーンマップとも称され得る）に従ってその割り当てられた物理サブバンドにアクセスするように構成され得る。
【００５４】
[0060]  図３は、一態様に従った、実例的な帯域幅割り当て３００の図である。図３に示されるように、ＯＦＤＭＡゾーンは、帯域幅３１０を含み得る。帯域幅３１０は、１つまたは複数のサブバンド３２０Ａ−３２０Ｄに分割され得る。例えば、帯域幅３１０は８０ＭＨｚであり得、４つの２０ＭＨｚサブバンド３２０Ａ−３２０Ｄに分割され得る。しかしながら当業者は、帯域幅３１０が異なるサイズであり得、異なる数のサブバンドに分割され得ることであって、それらのサブバンドも同じく、様々な等しいまたは異なるサイズを有し得る、ことを認識するであろう。
【００５５】
[0061]  図１および３を参照すると、ＡＰ１０４は、別個のサブバンド３２０Ａ−３２０ＤにＳＴＡ１０６Ａ−１０６Ｄの各々を割り当て得る。さらに、別個のトーンプラン３３０Ａ−３３０Ｄが、各サブバンド３２０Ａ−３２０Ｄに関連付けられ得る。様々な態様において、トーンプラン３３０Ａ−３３０Ｄは、各サブバンド３２０Ａ−３２０Ｄの帯域幅に基づいて、様々な高速フーリエ変換（ＦＦＴ）サイズを有し得る。本明細書においてはＦＦＴという用語が使用されるものの、当業者は、離散フーリエ変換（ＤＦＴ）、逆ＤＦＴ（ＩＤＦＴ）、および逆ＦＦＴ（ＩＦＦＴ）のような他の変換が、様々な状況で使用され得ることを認識するであろう。以下の表１は、様々な態様に従った、様々なシンボル持続時間モードのための実例的なトーンプランサイズを示す。表１に示されるように、４の係数分シンボル持続時間を増大させることは、４の係数分ＦＦＴサイズを増大させるによって実現され得る。様々な態様において、１倍（１ｘ）シンボル持続時間は、４μｓ（例えば、有効なシンボル持続時間のための３．２μｓおよび０．８μｓのサイクリックプリフィックス）であり得、４倍（４ｘ）シンボル持続時間は、１３．６μｓ、１４．４μｓ、または１６μｓ（例えば、３．２μｓの４倍であって、これは１２．８μｓである、および０．８μｓ、１．６μｓ、または３．２μｓのサイクリックプリフィックス）であり得る。当業者は、他のシンボル持続時間が使用され得ることを認識するであろう。
【００５６】
[0062]  
【００５７】
【表１】
2020115641.tif 000003
【００５８】
[0063]  従って、帯域幅３１０が８０ＭＨｚであり、４つの２０ＭＨｚサブバンド３２０Ａ−３２０Ｄに分割される実例的な態様では、ＳＴＡ１０６Ａ−１０６Ｄが、６４トーンプランに従って１ｘシンボル持続時間メッセージを送信および／または受信し得、２５６トーンプランに従って４ｘシンボル持続時間メッセージを送信および／または受信し得る。さらに、ＳＴＡ１０６Ａ−１０６Ｄの各々が別個の物理サブバンドを割り当てられるので、ＨＥＷ  ＳＴＡ１０６Ａ−１０６ＣおよびレガシーＳＴＡ１０６Ｄは、トーン定義の変化なしで協同し得る。
【００５９】
[0064]  上で表１に示されたＦＦＴサイズの各々は、ＨＥＷトーンプラン３３０Ａ−３３０Ｄに関連付けられ得る。実例的なトーンプランは、図４に関連して以下で論じられる。同様に、ＳＴＡ１０６Ａ−１０６Ｄの各々が、独立したトーンプランに従ってメッセージを送信および／または受信するので、共通のインターリーバ設計が使用され得る。
【００６０】
[0065]  図４は、一態様に従った、実例的なトーンプラン４００を示す。ある態様では、トーンプラン４００が、１６ポイントＩＦＦＴを使用して生成される、周波数ドメインにおける、ＯＦＤＭトーンに対応する。トーンプラン４００は、−８から７のインデックスを付けられる１６ＯＦＤＭトーンを含む。トーンプラン４００は、２セットのガードトーン４１０、２セットのデータ／パイロット４００、および１セットの直流（ＤＣ）トーン４３０を含む。様々な例において、ガードトーン４１０およびＤＣ４３０はヌルであり得る。ある態様では、データ／パイロットトーン４２０が、１０データトーンおよび２パイロットトーンを含み得る。様々な態様において、トーンプラン４００は、別の適した数のパイロットトーンを含む、および／または他の適したトーン位置においてパイロットトーンを含む。
【００６１】
[0066]  １６トーンプラン４００が図４に示されるものの、（３２−、４８−、６４−、９６−、１２８−、１９２−、２５６−、３２０−、３８４−、４４８−、５１２−、７６８−、１０２４、１２８０−、１５３６−、１７９２−、および２０４８−トーンプランのような）同様のトーンプランが使用され得る。以下の表２は、様々な態様に従った、様々なＦＦＴサイズのための例示的なトーンプランを示す。当業者は、データ、パイロット、ＤＣ、およびガードトーンの他の組み合わせが使用され得ることを認識するであろう。
【００６２】
[0067]  
【００６３】
【表２】
2020115641.tif 000004
【００６４】
[0068]  図５は、図１のワイヤレス通信システム１００内で用いられ得るワイヤレス通信の実例的な方法のためのフローチャート５００を示す。方法は、全体としてまたは部分的に、図２に示されるワイヤレスデバイス２０２のような、本明細書で説明されるデバイスによって実施され得る。例示される方法は、図１に関連して上で論じられたワイヤレス通信システム１００、図２に関連して上で論じられたワイヤレスデバイス２０２、図３に関連して上で論じられた帯域幅割り当て３００、および図４に関連して上で論じられたトーンプラン４００、を参照して本明細書では説明されるものの、当業者は、例示される方法が、本明細書で説明される別のデバイス、または任意の他の適したデバイスによって実施され得ることを認識するであろう。例示される方法は、特定の順序を参照して本明細書で説明されるものの、様々な態様において、本明細書におけるブロックは、異なる順序で行われ得るまたは省略され得る、およびさらなるブロックが追加され得る。
【００６５】
[0069]  まず、ブロック５１０で、デバイス２０２は、複数のデバイスの各々へのワイヤレス通信のために周波数のサブバンドを割り当てる。例えば、ＡＰ１０４は、ＳＴＡ１０６Ａ−１０６Ｄそれぞれにサブバンド３１０Ａ−３２０Ｄの各々を割り当て得る。様々な態様において、各サブバンド３１０Ａ−３２０Ｄは、表１に関連して上で論じられた帯域幅のいずれでも有り得、表２に関連して上で論じられたいずれかのＦＦＴサイズを有するトーンプランに関連付けられ得る。いくつかの態様では、デバイス２０２が、単一アップリンクまたはダウンリンクトーンプラン内のデータトーンのサブセット、および周波数のサブバンドの両方を含むリソースを割り当て得る。
【００６６】
[0070]  一態様では、プロセッサ２０４が、帯域幅の利用可能な量、およびワイヤレス媒体へのアクセスをリクエストするデバイスの数を決定し得る。プロセッサ２０４は、利用可能な帯域幅が越えられることのないように各デバイスに最大サブバンドサイズを割り当て得る。例えば、ＡＰ１０４は、ＳＴＡ１０６Ａ−１０６Ｄの数（４）で８０ＭＨｚ  ＯＦＤＭＡゾーン３１０を分割し、各ＳＴＡ１０６Ａ−１０６Ｄに２０ＭＨｚサブバンド３２０Ａ−３２０Ｂを割り当て得る。様々な他の態様において、プロセッサ２０４は、例えばＳＴＡ１０６Ａ−１０６Ｄの優先度または能力に基づいて、ある特定のデバイスにより大きなサブバンドを割り得て得る。
【００６７】
[0071]  次に、ブロック５２０で、デバイス２０２は、デバイスへのサブバンド割り当てを提供する。例えば、ＡＰ１０４は、各ＳＴＡ１０６Ａ−１０６Ｄにサブバンド割り当てのインジケーションを送信し得る。特に、プロセッサ２０４は、送信機２１０に、ＳＴＡ１０６Ａ−１０６Ｄにサブバンド割り当てを送信させ得る。
【００６８】
[0072]  その後、ブロック５３０で、デバイス２０２は、割り当てられたサブバンドのうちの１つに関連付けられたトーンプランに従ってメッセージを処理する。例えば、ＡＰ１０４は、物理サブバンド３２０Ａ上で、ＳＴＡ１０６ＡにＤＬメッセージを送信し得る。物理サブバンド３２０Ａが、ある態様で、２０ＭＨｚであるので、ＡＰ１０４は、（１ｘシンボル持続時間では）６４トーンプラン、または（４ｘシンボル持続時間では）２５６トーンプランに従って、ＤＬメッセージを符号化および／または送信し得る。別の例として、物理サブバンド３２０Ａが５ＭＨｚである態様で、ＡＰ１０４は、１ｘシンボル持続時間で、図４に関連して上で論じられた１６トーンプラン４００に従って、ＤＬメッセージを符号化および／または送信し得る。様々な態様において、プロセッサ２０４は、送信機２１０に、関連付けられたトーンプランに従って、ＤＬメッセージを符号化および／または送信させ得る。いくつかの態様では、トーンプランは、単一アップリンクまたはダウンリンクトーンプラン内の割り当てられたデータトーンのサブセット、および周波数の割り当てられたサブバンドの両方に関連付けられ得る。
【００６９】
[0073]  別の例として、ＡＰ１０４は、物理サブバンド３２０Ａ上で、ＳＴＡ１０６ＡからＵＬメッセージを受信し得る。物理サブバンド３２０Ａが、ある態様で、２０ＭＨｚであるので、ＡＰ１０４は、（１ｘシンボル持続時間では）６４トーンプラン、または（４ｘシンボル持続時間では）２５６トーンプランに従って、ＵＬメッセージを復号および／または受信し得る。別の例として、物理サブバンド３２０Ａが５ＭＨｚである態様で、ＡＰ１０４は、１ｘシンボル持続時間で、図４に関連して上で論じられた１６トーンプラン４００に従って、ＵＬメッセージを復号および／または受信し得る。様々な態様において、プロセッサ２０４は、受信機２１２に、関連付けられたトーンプランに従って、ＵＬメッセージを復号および／または受信させ得る。
【００７０】
[0074]  同様に、ＳＴＡ１０６Ａは、例えばＡＰ１０４からのインジケーションに基づいて、サブバンド割り当てを決定し得る。いくつかの態様では、ＳＴＡ１０６Ａが、（例えば、受信機２１２を介して）関連付けられたトーンプランに従って、ＡＰ１０４からのＤＬメッセージを復号および／または受信し得る。いくつかの態様では、ＳＴＡ１０６Ａが、（例えば、送信機２１０を介して）関連付けられたトーンプランに従って、ＡＰ１０４へのＵＬメッセージを符号化および／または送信し得る。
【００７１】
[0075]  様々な態様において、アップリンクトーンプランおよびダウンリンクトーンプランは同じであり得る。様々な態様において、メッセージは、１３．６μｓ、１４．４μｓ、または１６μｓのシンボル持続時間を含み得る。
【００７２】
[0076]  様々な態様において、割り当ては、装置の通信モードに基づいて、利用可能な帯域幅を決定することを含み得る。複数のデバイスの各々にワイヤレス通信のサブバンドを割り当てることは、利用可能な帯域幅または利用可能な数のデータトーンを、複数の周波数のサブバンドまたはデータトーンのサブセットにそれぞれ分割することを含み得る。
【００７３】
[0077]  様々な態様において、メッセージを処理することは、ダウンリンクまたはアップリンクトーンプランそれぞれに従って、メッセージを符号化または復号することを含み得る。メッセージを処理することはさらに、メッセージを、デバイスにまたはデバイスから、送信または受信すること、それぞれを含み得る。
【００７４】
[0078]  様々な態様において、帯域幅が５ＭＨｚを備える場合、アップリンクまたはダウンリンクトーンプランは、６４の高速フーリエ変換（ＦＦＴ）サイズを使用し得る。帯域幅が１０ＭＨｚを備える場合、アップリンクまたはダウンリンクトーンプランは、１２８のＦＦＴサイズを使用し得る。帯域幅が５ＭＨｚを備える場合、アップリンクまたはダウンリンクトーンプランは、６４のＦＦＴサイズを使用し得る。帯域幅が１０ＭＨｚを備える場合、アップリンクまたはダウンリンクトーンプランは、１２８のＦＦＴサイズを使用し得る。帯域幅が１５ＭＨｚを備える場合、アップリンクまたはダウンリンクトーンプランは、１９２のＦＦＴサイズを使用し得る。帯域幅が２０ＭＨｚを備える場合、アップリンクまたはダウンリンクトーンプランは、２５６のＦＦＴサイズを使用し得る。帯域幅が３０ＭＨｚを備える場合、アップリンクまたはダウンリンクトーンプランは、３８４のＦＦＴサイズを使用し得る。帯域幅が４０ＭＨｚを備える場合、アップリンクまたはダウンリンクトーンプランは、５１２のＦＦＴサイズを使用し得る。帯域幅が６０ＭＨｚを備える場合、アップリンクまたはダウンリンクトーンプランは、７６８のＦＦＴサイズを使用し得る。帯域幅が８０ＭＨｚを備える場合、アップリンクまたはダウンリンクトーンプランは、１０２４のＦＦＴサイズを使用し得る。帯域幅が１００ＭＨｚを備える場合、アップリンクまたはダウンリンクトーンプランは、１２８０のＦＦＴサイズを使用し得る。帯域幅が１２０ＭＨｚを備える場合、アップリンクまたはダウンリンクトーンプランは、１５３６のＦＦＴサイズを使用し得る。帯域幅が１４０ＭＨｚを備える場合、アップリンクまたはダウンリンクトーンプランは、１７９２のＦＦＴサイズを使用し得る。帯域幅が１６０ＭＨｚを備える場合、アップリンクまたはダウンリンクトーンプランは、２０４８のＦＦＴサイズを使用し得る。
【００７５】
[0079]  様々な態様において、アップリンクまたはダウンリンクトーンプランは、トーンプランが１６ＦＦＴトーンを有する場合、１０データトーン、２パイロットトーン、および１直流（ＤＣ）トーンを含み得る。トーンプランが４８ＦＦＴトーンを有する場合、トーンプランは、３８データトーン、２パイロットトーン、および１ＤＣトーンを含み得る。トーンプランが９６ＦＦＴトーンを有する場合、トーンプランは、８０データトーン、４パイロットトーン、および１ＤＣトーンを含み得る。トーンプランが１９２ＦＦＴトーンを有する場合、トーンプランは、１７１データトーン、６パイロットトーン、および３ＤＣを含み得る。トーンプランが３２０ＦＦＴトーンを有する場合、トーンプランは、２９２データトーン、８パイロットトーン、および５ＤＣを含み得る。トーンプランが３８４ＦＦＴトーンを有する場合、トーンプランは、３５０データトーン、１０パイロットトーン、および７ＤＣを含み得る。トーンプランが４４８ＦＦＴトーンを有する場合、トーンプランは、４０８データトーン、１０パイロットトーン、および９ＤＣを含み得る。トーンプランが７６８ＦＦＴトーンを有する場合、トーンプランは、７０２データトーン、２４パイロットトーン、および１１ＤＣを含み得る。トーンプランが１０２４ＦＦＴトーンを有する場合、トーンプランは、９３６データトーン、３２パイロットトーン、および１１ＤＣを含み得る。トーンプランが１２８０ＦＦＴトーンを有する場合、トーンプランは、１１７０データトーン、４０パイロットトーン、および１１ＤＣを含み得る。トーンプランが１５３６ＦＦＴトーンを有する場合、トーンプランは、１４０４データトーン、４８パイロットトーン、および１１ＤＣを含み得る。トーンプランが１７９２ＦＦＴトーンを有する場合、トーンプランは、１６３８データトーン、５６パイロットトーン、および１１ＤＣを含み得る。トーンプランが２０４８ＦＦＴトーンを有する場合、トーンプランは、１８７２データトーン、６４パイロットトーン、および１１ＤＣを含み得る。
【００７６】
[0080]  様々な態様において、ダウンリンクトーンプランに関する割り当てられたサブセットの各々は、サブセットの帯域幅が５ＭＨｚを含む場合、１３データトーンしか含まない。割り当てられたサブセットの各々は、サブセットの帯域幅が１０ＭＨｚを含む場合、２６データトーンしか含まない。割り当てられたサブセットの各々は、サブセットの帯域幅が１５ＭＨｚを含む場合、３９データトーンしか含まない。割り当てられたサブセットの各々は、サブセットの帯域幅が２０ＭＨｚを含む場合、５２データトーンしか含まない。割り当てられたサブセットの各々は、サブセットの帯域幅が３０ＭＨｚを含む場合、８１データトーンしか含まない。割り当てられたサブセットの各々は、サブセットの帯域幅が４０ＭＨｚを含む場合、１０８データトーンしか含まない。割り当てられたサブセットの各々は、サブセットの帯域幅が６０ＭＨｚを含む場合、１７５データトーンしか含まない。割り当てられたサブセットの各々は、サブセットの帯域幅が８０ＭＨｚを含む場合、２３４データトーンしか含まない。割り当てられたサブセットの各々は、サブセットの帯域幅が１００ＭＨｚを含む場合、２９２データトーンしか含まない。割り当てられたサブセットの各々は、サブセットの帯域幅が１２０ＭＨｚを含む場合、３５１データトーンしか含まない。割り当てられたサブセットの各々は、サブセットの帯域幅が１４０ＭＨｚを含む場合、４０９データトーンしか含まない。
【００７７】
[0081]  様々な態様において、アップリンクトーンプランに関する割り当てられたサブセットの各々は、サブセットの帯域幅が５ＭＨｚを含む場合、１０データトーンおよび２パイロットトーンしか含まない。割り当てられたサブセットの各々は、サブセットの帯域幅が１０ＭＨｚを含む場合、２３データトーンおよび２パイロットトーンしか含まない。割り当てられたサブセットの各々は、サブセットの帯域幅が１５ＭＨｚを含む場合、３５データトーンおよび２パイロットトーンしか含まない。割り当てられたサブセットの各々は、サブセットの帯域幅が２０ＭＨｚを含む場合、４６データトーンおよび４パイロットトーンしか含まない。割り当てられたサブセットの各々は、サブセットの帯域幅が３０ＭＨｚを含む場合、７７データトーンおよび４パイロットトーンしか含まない。割り当てられたサブセットの各々は、サブセットの帯域幅が４０ＭＨｚを含む場合、１０２データトーンおよび６パイロットトーンしか含まない。割り当てられたサブセットの各々は、サブセットの帯域幅が６０ＭＨｚを含む場合、１７１データトーンおよび６パイロットトーンしか含まない。割り当てられたサブセットの各々は、サブセットの帯域幅が８０ＭＨｚを含む場合、２２８データトーンおよび８パイロットトーンしか含まない。割り当てられたサブセットの各々は、サブセットの帯域幅が１００ＭＨｚを含む場合、２９０データトーンおよび８パイロットトーンしか含まない。割り当てられたサブセットの各々は、サブセットの帯域幅が１２０ＭＨｚを含む場合、３４８データトーンおよび１０パイロットトーンしか含まない。割り当てられたサブセットの各々は、サブセットの帯域幅が１４０ＭＨｚを含む場合、４０８データトーンおよび１０パイロットトーンしか含まない。
【００７８】
[0082]  ある態様では、図５に示される方法が、割り当て回路、提供回路、および処理回路を含み得るワイヤレスデバイスにおいて実施され得る。当業者は、ワイヤレス装置が、本明細書で説明される簡略化されたワイヤレスデバイスよりも多くのコンポーネントを有し得ることを認識するであろう。本明細書で説明されるワイヤレスデバイスは、請求項の範囲内の実施形態のいくつかの顕著な特徴を説明するのに役立つコンポーネントのみを含む。
【００７９】
[0083]  割り当て回路は、複数のデバイスの各々にワイヤレス通信のサブバンドを割り当てるように構成され得る。ある態様では、割り当て回路が、フローチャート５００のブロック５１０（図５）を実施するように構成され得る。割り当て回路は、ＤＳＰ２２０（図２）、プロセッサ２０４（図２）、およびメモリ２０６（図２）のうちの１つまたは複数を含み得る。いくつかの実施形態では、割り当てるための手段は、割り当て回路を含み得る。
【００８０】
[0084]  提供回路は、デバイスへのサブバンド割り当てを提供するように構成され得る。ある態様では、提供回路が、フローチャート５００のブロック５２０（図５）を実施するように構成され得る。提供回路は、送信機２１０（図２）、トランシーバ２１４（図２）、プロセッサ２０６（図２）、ＤＳＰ２２０（図２）、およびメモリ２０４（図２）のうちの１つまたは複数を含み得る。いくつかの実施形態では、提供するための手段が、提供回路を含み得る。
【００８１】
[0085]  処理回路は、トーンプランに従ってメッセージを処理するように構成され得る。ある態様では、処理回路が、フローチャート５００のブロック５３０（図５）を実施するように構成され得る。処理回路は、送信機２１０（図２）、受信機２１２（図２）、トランシーバ２１４（図２）、アンテナ２１６（図２）、プロセッサ２０６（図２）、ＤＳＰ２２０（図２）、およびメモリ２０４（図２）のうちの１つまたは複数を含み得る。いくつかの実施形態では、処理するための手段が、処理回路を含み得る。
【００８２】
[0086]  いくつかの態様では、ＡＰ１０４が、ＵＬおよびＤＬ通信の各々のために、ＨＥＷ  ＳＴＡに単一トーンプランのサブセットを割り当てることによって、ワイヤレス媒体へのアクセスを制御し得る。例えば、図１に関して、ＳＴＡ１０６Ａ−１０６Ｄは、ＨＥＷ  ＳＴＡであり得る。この態様では、ＯＦＤＭＡゾーン中で、データ／パイロットトーンの総数を増加させることが望ましいことであり得る。いくつかの態様では、単一トーンプラン内の向上した効率が、同時レガシー動作を不可能にさせ得る。いくつかの態様では、ＡＰ１０４が、ＳＴＡ１０６Ａ−１０６Ｄの各々に、単一アップリンクまたはダウンリンクトーンプラン内の別個のトーンサブセットを割り当てるように構成され得る。従って、各ＳＴＡ１０６Ａ−１０６Ｄは、単一トーンプラン（トーンマップとも称され得る）に従ってその割り当てられたトーンのサブセットにアクセスするように構成され得る。
【００８３】
[0087]  図６は、一態様に従った、実例的な帯域幅割り当て６００の図である。図６に示されるように、ＯＦＤＭＡゾーンは、帯域幅６１０を含み得る。帯域幅６１０全体が、アップリンク通信のための単一トーンプラン６３０、およびダウンリンク通信のための単一トーンプラン６３０、に関連付けられ得る。単一トーンプラン６３０は、ＨＥＷ  ＳＴＡ１０６Ａ−１０６Ｄのような、複数のデバイス間で分けられ得る。
【００８４】
[0088]  図１および６を参照すると、ＡＰ１０４は、ＳＴＡ１０６Ａ−１０６Ｄの各々に、単一トーンプラン６３０におけるデータ／パイロットトーンのサブセットを割り当て得る。４つのＳＴＡ１０６Ａ−１０６Ｄが示されるものの、単一トーンプラン６３０は、任意の数のトーンサブセットに分割され得る。様々な態様において、割り当てられたサブセットは、単一トーンプラン６３０において定義されたデータ／パイロットトーン間で、連続し得るか、均等に隔てられ得るか、または断続的に隔てられ得る。いくつかの態様では、単一トーンプラン６３０が、ＳＴＡ１０６Ａ−１０６Ｄの間で均等に分割され得る。他の態様では、異なる数のトーンが、ＳＴＡ１０６Ａ−１０６Ｄの間で割り当てられ得る。
【００８５】
[0089]  様々な態様において、単一トーンプラン６３０は、ＯＦＤＭＡゾーンの帯域幅６１０に基づいて、様々な高速フーリエ変換（ＦＦＴ）サイズを有し得る。本明細書においてＦＦＴという用語が使用されるものの、当業者は、離散フーリエ変換（ＤＦＴ）、逆ＤＦＴ（ＩＤＦＴ）、および逆ＦＦＴ（ＩＦＦＴ）のような他の変換が、様々な状況で使用され得ることを認識するであろう。上記の表１は、様々な態様に従った、様々なシンボル持続時間モードのための実例的なトーンプランサイズを示す。
【００８６】
[0090]  従って、帯域幅６１０が８０ＭＨｚである実例的な態様では、ＳＴＡ１０６Ａ−１０６Ｄが、２５６トーンプランに従って１ｘシンボル持続時間メッセージを送信および／または受信し得、１０２４トーンプランに従って４ｘシンボル持続時間メッセージを送信および／または受信し得る。さらに、ＳＴＡ１０６Ａ−１０６Ｄの各々が物理チャネルを共有するので、ＨＥＷ  ＳＴＡ１０６Ａ−１０６Ｄは、単一トーンプラン６３０内でＳＴＡと相互動作しないことがある。
【００８７】
[0091]  上で表１に示されたＦＦＴサイズの各々は、ＵＬおよびＤＬのための単一トーンプラン６３０に関連付けられ得る。いくつかの態様では、単一トーンプラン６３０が、ＵＬおよびＤＬ通信に関して同じである。他の態様では、単一トーンプラン６３０が、ＵＬに関して、ＤＬ通信とは異なり得る。実例的なトーンプランは、図４に関連して上で論じられている。ＳＴＡ１０６Ａ−１０６Ｄの各々が、同じ単一トーンプラン６３０に従ってメッセージを送信および／または受信するので、（図３に関連して上で論じられたマルチキャリアトーン割り当てと比較されると）１または複数のミッドトーン（例えば、サブバンドガードトーン）、サブバンドＤＣトーン、およびサブバンドパイロットトーンは、データトーンと置き換えられ得る。
【００８８】
[0092]  １６トーンプラン４００が図４に関連して上で論じられたが、（３２−、４８−、６４−、９６−、１２８−、１９２−、２５６−、３２０−、３８４−、４４８−、５１２−、７６８−、１０２４−、１２８０−、１５３６−、１７９２−、および２０４８トーンプランのような）同様のトーンプランが使用され得る。上記の表２は、様々な態様に従った、様々なＦＦＴサイズのための例示的なトーンプランを示す。当業者は、データ、パイロット、ＤＣ、およびガードトーンの他の組み合わせが使用され得ることを認識するであろう。
【００８９】
[0093]  上で論じられたように、単一トーンプラン６３０のデータ／パイロットトーンは、各デバイスに割り当てられたサブセット帯域幅またはサブバンドに基づいて、複数のデバイス間で割り当てられ得る。以下の表３は、単一ＤＬトーンプラン６３０における様々なサブバンド帯域幅のための例示的なトーン割り当てを示す。５ＭＨｚ、１０ＭＨｚ、１５ＭＨｚ、２０ＭＨｚ、３０ＭＨｚ、４０ＭＨｚ、６０ＭＨｚ、８０ＭＨｚ、１００ＭＨｚ、１２０ＭＨｚ、および１４０ＭＨｚのサブバンド帯域幅が示されるものの、当業者は、他の帯域幅およびトーン割り当てが使用され得ることを認識するであろう。
【００９０】
[0094]  
【００９１】
【表３】
2020115641.tif 000005
【００９２】
[0095]  様々な態様において、ＤＬ通信では、単一トーンプラン６３０が、デバイスごとの位相追跡に関して共通のパイロットを含み得る。様々な態様において、ＤＬ通信では、単一トーンプラン６３０が、サブバンドＤＣトーンを省略し得る。様々な態様において、ＤＬ通信では、単一トーンプラン６３０が、デバイス割り当て間のガードトーンを省略し得る。例えば、ＡＰ１０４（図１）は、送信を同期し、トーンのサブセット間で直交に維持するように構成され得る。様々な態様において、ＤＬ通信では、高帯域送信マスクが適用され得る。
【００９３】
[0096]  ＵＬ通信では、同様の割り当てが、サブセット割り当て間のデバイスごとのパイロットトーンおよびガードトーンの追加を伴い、使用され得る。以下の表４は、単一ＵＬトーンプラン６３０における様々なサブバンド帯域幅のための実例的なトーン割り当てを図示す。５ＭＨｚ、１０ＭＨｚ、１５ＭＨｚ、２０ＭＨｚ、３０ＭＨｚ、４０ＭＨｚ、６０ＭＨｚ、８０ＭＨｚ、１００ＭＨｚ、１２０ＭＨｚ、および１４０ＭＨｚのサブバンド帯域幅が示されるものの、当業者は、他の帯域幅およびトーン割り当てが使用され得ることを認識するであろう。
【００９４】
[0097]  
【００９５】
【表４】
2020115641.tif 000006
【００９６】
[0098]  様々な態様において、ＵＬ通信では、単一トーンプラン６３０が、デバイスごとのパイロットトーンを含み得る。様々な態様において、ＵＬ通信では、単一トーンプラン６３０が、サブバンドＤＣトーンを省略し得る。様々な態様において、ＵＬ通信では、単一トーンプラン６３０が、デバイス割り当て間に１または複数のガードトーンを含み得る。例えば、単一トーンプラン６３０は、トーンの各サブセット間に２ガードトーンを含み得る。表４は、２ガード（およびそれにより６ビットガードトーン）を各々が有する４つのサブセットを想定するものの、単一トーンプラン６３０は、異なる数のトーンサブセットに分割され得る。様々な態様において、ＤＬ通信では、サブバンド送信マスクが適用され得る。
【００９７】
[0099]  図７は、図１のワイヤレス通信システム１００内で用いられ得るワイヤレス通信の別の実例的な方法のためのフローチャート７００を示す。方法は、全体としてまたは部分的に、図２に示されるワイヤレスデバイス２０２のような、本明細書で説明されるデバイスによって実施され得る。例示される方法は、図１に関連して上で論じられたワイヤレス通信システム１００、図２に関連して上で論じられたワイヤレスデバイス２０２、図３に関連して上で論じられた帯域幅割り当て３００、および図４に関連して上で論じられたトーンプラン４００、を参照して説明されるものの、当業者は、例示される方法が、本明細書で説明される別のデバイス、または任意の他の適したデバイスによって実施され得ることを認識するであろう。例示される方法が特定の順序を参照して本明細書で説明されるものの、様々な態様において、本明細書におけるブロックは、異なる順序で行われ得るまたは省略され得る、およびさらなるブロックが追加され得る。
【００９８】
[00100]  まず、ブロック７１０で、デバイス２０２は、複数のデバイスの各々に、ワイヤレス通信のために、単一アップリンクまたはダウンリンクトーンプラン内のデータトーンのサブセットを割り当てる。例えば、ＡＰ１０４は、ＳＴＡ１０６Ａ−１０６Ｄに、上で表３および４に示されたサブセットの任意の組み合わせを割り当て得る。様々な態様において、単一トーンプランは、表１に関連して上で論じられた帯域幅のいずれかを占有し得、表２に関連して上で論じられたいずれかのＦＦＴサイズを有するトーンプランに関連付けられ得る。いくつかの態様では、デバイス２０２が、単一アップリンクまたはダウンリンクトーンプラン内のデータトーンのサブセット、および周波数のサブバンドの両方を含むリソースを割り当て得る。
【００９９】
[00101]  一態様では、プロセッサ２０４が、トーンの利用可能な量、およびワイヤレス媒体へのアクセスをリクエストするデバイスの数を決定し得る。プロセッサ２０４は、利用可能な帯域幅が越えられることのないように各デバイスに最大サブセットサイズを割り当て得る。例えば、ＡＰ１０４は、ＳＴＡ１０６Ａ−１０６Ｄの数（４）で８０ＭＨｚ  ＯＦＤＭＡゾーン３１０を分割し、各ＳＴＡ１０６Ａ−１０６Ｄに２０ＭＨｚサブバンド３２０Ａ−３２０Ｂを割り当て得る。様々な他の態様において、プロセッサ２０４は、例えばＳＴＡ１０６Ａ−１０６Ｄの優先度または能力に基づいて、ある特定のデバイスにより大きなサブバンドを割り得て得る。従って、ＤＬ通信では、ＡＰ１０４が、２３４の利用可能なデータトーンを分割し、各デバイスに、単一ＤＬトーンプラン６３０の５２データトーンを割り当て得る。ＵＬ通信では、ＡＰ１０４が、２３４の利用可能なデータトーン、および８の利用可能なパイロットトーンを分割し、各デバイスに、単一トーンプラン６３０の４６データトーン、４パイロットトーン、および２ガードトーンを割り当て得る。
【０１００】
[00102]  次に、ブロック７２０で、デバイス２０２は、デバイスへのサブセット割り当てを提供する。例えば、ＡＰ１０４は、各ＳＴＡ１０６Ａ−１０６Ｄにサブセット割り当てのインジケーションを送信し得る。特に、プロセッサ２０４は、送信機２１０に、ＳＴＡ１０６Ａ−１０６Ｄにサブバンド割り当てを送信させ得る。
【０１０１】
[00103]  その後、ブロック７３０で、デバイス２０２は、単一トーンプランおよび割り当てられたデータトーンのサブセットに従ってメッセージを処理する。例えば、ＡＰ１０４は、単一ＤＬトーンプラン６３０に従って、ＳＴＡ１０６ＡにＤＬメッセージを送信し得る。ある態様ではＯＦＤＭＡゾーンが８０ＭＨｚを占有するので、ＡＰ１０４は、２５６トーンプランに従ってＤＬメッセージを符号化および／または送信し得る。ある態様では割り当てられたデータトーンのサブセットが２０ＭＨｚを占有するので、ＡＰ１０４は、ＳＴＡ１０６Ａに関して２５６トーンプランにおける５２データトーンを含み得る。様々な態様において、プロセッサ２０４は、送信機２１０に、割り当てられたデータトーンのサブセットに従って、ＤＬメッセージを符号化および／または送信させ得る。いくつかの態様では、トーンプランが、割り当てられた周波数のサブバンド、および割り当てられたデータトーンのサブセットの両方に関連付けられ得る。
【０１０２】
[00104]  別の例として、ＡＰ１０４は、単一ＵＬトーンプラン６３０に従って、ＳＴＡ１０６ＡからＵＬメッセージを受信し得る。ある態様ではＯＦＤＭＡゾーンが８０ＭＨｚを占有するので、ＡＰ１０４は、２５６トーンプランに従ってＵＬメッセージを復号および／または受信し得る。ある態様では割り当てられたデータトーンのサブセットが２０ＭＨｚを占有するので、ＡＰ１０４は、２５６トーンプランにおける４６データトーンおよび４パイロットトーンを、ＳＴＡ１０６Ａに関連付け得る。様々な態様において、プロセッサ２０４は、受信機２１２に、割り当てられたトーンのサブセットに従って、ＵＬメッセージを復号および／または受信させ得る。
【０１０３】
[00105]  同様に、ＳＴＡ１０６Ａは、例えばＡＰ１０４からのインジケーションに基づいて、サブセット割り当てを決定し得る。いくつかの態様では、ＳＴＡ１０６Ａが、（例えば、受信機２１２を介して）割り当てられたトーンのサブセットに従って、ＡＰ１０４からのＤＬメッセージを復号および／または受信し得る。いくつかの態様では、ＳＴＡ１０６Ａが、（例えば、送信機２１０を介して）割り当てられたトーンのサブセットに従って、ＡＰ１０４へのＵＬメッセージを符号化および／または送信し得る。
【０１０４】
[00106]  様々な態様において、アップリンクトーンプランは、ダウンリンクトーンプランとは異なり得る。様々な態様において、割り当てられたサブセットの各々はさらに、１または複数のパイロットトーンを含み得る。様々な態様において、メッセージは、１３．６μｓ、１４．４μｓ、または１６μｓのシンボル持続時間を含み得る。
【０１０５】
[00107]  様々な態様において、データトーンのサブセットを割り当てることは、装置の通信モードに基づいて、利用可能な数のデータトーンを決定することを含み得る。データトーンのサブセットを割り当てることはさらに、利用可能なデータトーンを、複数のサブセットに分割することを含み得る。
【０１０６】
[00108]  様々な態様において、メッセージを処理することは、割り当てられた単一ダウンリンクまたはアップリンクトーンプランのサブセットそれぞれに従って、メッセージを符号化または復号することを含み得る。メッセージを処理することはさらに、メッセージをデバイスに送信またはデバイスから受信することをそれぞれ含み得る。
【０１０７】
[00109]  様々な態様において、帯域幅が５ＭＨｚを備える場合、アップリンクまたはダウンリンクトーンプランは、６４の高速フーリエ変換（ＦＦＴ）サイズを使用し得る。帯域幅が１０ＭＨｚを備える場合、アップリンクまたはダウンリンクトーンプランは、１２８のＦＦＴサイズを使用し得る。帯域幅が５ＭＨｚを備える場合、アップリンクまたはダウンリンクトーンプランは、６４のＦＦＴサイズを使用し得る。帯域幅が１０ＭＨｚを備える場合、アップリンクまたはダウンリンクトーンプランは、１２８のＦＦＴサイズを使用し得る。帯域幅が１５ＭＨｚを備える場合、アップリンクまたはダウンリンクトーンプランは、１９２のＦＦＴサイズを使用し得る。帯域幅が２０ＭＨｚを備える場合、アップリンクまたはダウンリンクトーンプランは、２５６のＦＦＴサイズを使用し得る。帯域幅が３０ＭＨｚを備える場合、アップリンクまたはダウンリンクトーンプランは、３８４のＦＦＴサイズを使用し得る。帯域幅が４０ＭＨｚを備える場合、アップリンクまたはダウンリンクトーンプランは、５１２のＦＦＴサイズを使用し得る。帯域幅が６０ＭＨｚを備える場合、アップリンクまたはダウンリンクトーンプランは、７６８のＦＦＴサイズを使用し得る。帯域幅が８０ＭＨｚを備える場合、アップリンクまたはダウンリンクトーンプランは、１０２４のＦＦＴサイズを使用し得る。帯域幅が１００ＭＨｚを備える場合、アップリンクまたはダウンリンクトーンプランは、１２８０のＦＦＴサイズを使用し得る。帯域幅が１２０ＭＨｚを備える場合、アップリンクまたはダウンリンクトーンプランは、１５３６のＦＦＴサイズを使用し得る。帯域幅が１４０ＭＨｚを備える場合、アップリンクまたはダウンリンクトーンプランは、１７９２のＦＦＴサイズを使用し得る。帯域幅が１６０ＭＨｚを備える場合、アップリンクまたはダウンリンクトーンプランは、２０４８のＦＦＴサイズを使用し得る。
【０１０８】
[00110]  様々な態様において、アップリンクまたはダウンリンクトーンプランは、トーンプランが１６ＦＦＴトーンを有する場合、１０データトーン、２パイロットトーン、および１直流（ＤＣ）トーンを含み得る。トーンプランが４８ＦＦＴトーンを有する場合、トーンプランは、３８データトーン、２パイロットトーン、および１ＤＣトーンを含み得る。トーンプランが９６ＦＦＴトーンを有する場合、トーンプランは、８０データトーン、４パイロットトーン、および１ＤＣトーンを含み得る。トーンプランが１９２ＦＦＴトーンを有する場合、トーンプランは、１７１データトーン、６パイロットトーン、および３ＤＣを含み得る。トーンプランが３２０ＦＦＴトーンを有する場合、トーンプランは、２９２データトーン、８パイロットトーン、および５ＤＣを含み得る。トーンプランが３８４ＦＦＴトーンを有する場合、トーンプランは、３５０データトーン、１０パイロットトーン、および７ＤＣを含み得る。トーンプランが４４８ＦＦＴトーンを有する場合、トーンプランは、４０８データトーン、１０パイロットトーン、および９ＤＣを含み得る。トーンプランが７６８ＦＦＴトーンを有する場合、トーンプランは、７０２データトーン、２４パイロットトーン、および１１ＤＣを含み得る。トーンプランが１０２４ＦＦＴトーンを有する場合、トーンプランは、９３６データトーン、３２パイロットトーン、および１１ＤＣを含み得る。トーンプランが１２８０ＦＦＴトーンを有する場合、トーンプランは、１１７０データトーン、４０パイロットトーン、および１１ＤＣを含み得る。トーンプランが１５３６ＦＦＴトーンを有する場合、トーンプランは、１４０４データトーン、４８パイロットトーン、および１１ＤＣを含み得る。トーンプランが１７９２ＦＦＴトーンを有する場合、トーンプランは、１６３８データトーン、５６パイロットトーン、および１１ＤＣを含み得る。トーンプランが２０４８ＦＦＴトーンを有する場合、トーンプランは、１８７２データトーン、６４パイロットトーン、および１１ＤＣを含み得る。
【０１０９】
[00111]  様々な態様において、ダウンリンクトーンプランに関する割り当てられたサブセットの各々は、サブセットの帯域幅が５ＭＨｚを含む場合、１３データトーンしか含まない。割り当てられたサブセットの各々は、サブセットの帯域幅が１０ＭＨｚを含む場合、２６データトーンしか含まない。割り当てられたサブセットの各々は、サブセットの帯域幅が１５ＭＨｚを含む場合、３９データトーンしか含まない。割り当てられたサブセットの各々は、サブセットの帯域幅が２０ＭＨｚを含む場合、５２データトーンしか含まない。割り当てられたサブセットの各々は、サブセットの帯域幅が３０ＭＨｚを含む場合、８１データトーンしか含まない。割り当てられたサブセットの各々は、サブセットの帯域幅が４０ＭＨｚを含む場合、１０８データトーンしか含まない。割り当てられたサブセットの各々は、サブセットの帯域幅が６０ＭＨｚを含む場合、１７５データトーンしか含まない。割り当てられたサブセットの各々は、サブセットの帯域幅が８０ＭＨｚを含む場合、２３４データトーンしか含まない。割り当てられたサブセットの各々は、サブセットの帯域幅が１００ＭＨｚを含む場合、２９２データトーンしか含まない。割り当てられたサブセットの各々は、サブセットの帯域幅が１２０ＭＨｚを含む場合、３５１データトーンしか含まない。割り当てられたサブセットの各々は、サブセットの帯域幅が１４０ＭＨｚを含む場合、４０９データトーンしか含まない。
【０１１０】
[00112]  様々な態様において、アップリンクトーンプランに関する割り当てられたサブセットの各々は、サブセットの帯域幅が５ＭＨｚを含む場合、１０データトーンおよび２パイロットトーンしか含まない。割り当てられたサブセットの各々は、サブセットの帯域幅が１０ＭＨｚを含む場合、２３データトーンおよび２パイロットトーンしか含まない。割り当てられたサブセットの各々は、サブセットの帯域幅が１５ＭＨｚを含む場合、３５データトーンおよび２パイロットトーンしか含まない。割り当てられたサブセットの各々は、サブセットの帯域幅が２０ＭＨｚを含む場合、４６データトーンおよび４パイロットトーンしか含まない。割り当てられたサブセットの各々は、サブセットの帯域幅が３０ＭＨｚを含む場合、７７データトーンおよび４パイロットトーンしか含まない。割り当てられたサブセットの各々は、サブセットの帯域幅が４０ＭＨｚを含む場合、１０２データトーンおよび６パイロットトーンしか含まない。割り当てられたサブセットの各々は、サブセットの帯域幅が６０ＭＨｚを含む場合、１７１データトーンおよび６パイロットトーンしか含まない。割り当てられたサブセットの各々は、サブセットの帯域幅が８０ＭＨｚを含む場合、２２８データトーンおよび８パイロットトーンしか含まない。割り当てられたサブセットの各々は、サブセットの帯域幅が１００ＭＨｚを含む場合、２９０データトーンおよび８パイロットトーンしか含まない。割り当てられたサブセットの各々は、サブセットの帯域幅が１２０ＭＨｚを含む場合、３４８データトーンおよび１０パイロットトーンしか含まない。割り当てられたサブセットの各々は、サブセットの帯域幅が１４０ＭＨｚを含む場合、４０８データトーンおよび１０パイロットトーンしか含まない。
【０１１１】
[00113]  ある態様では、図７に示される方法が、割り当て回路、提供回路、および処理回路を含み得るワイヤレスデバイスにおいて実施され得る。当業者は、ワイヤレス装置が、本明細書で説明される簡略化されたワイヤレスデバイスよりも多くのコンポーネントを有し得ることを認識するであろう。本明細書で説明されるワイヤレスデバイスは、請求項の範囲内の実施形態のいくつかの顕著な特徴を説明するのに役立つコンポーネントのみを含む。
【０１１２】
[00114]  割り当て回路は、データトーンのサブセットを割り当てるように構成され得る。ある態様では、割り当て回路が、フローチャート７００のブロック７１０（図７）を実施するように構成され得る。割り当て回路は、ＤＳＰ２２０（図２）、プロセッサ２０４（図２）、およびメモリ２０６（図２）のうちの１つまたは複数を含み得る。いくつかの実施形態では、割り当てるための手段が、割り当て回路を含み得る。
【０１１３】
[00115]  提供回路は、デバイスへのサブセット割り当てを提供するように構成され得る。ある態様では、提供回路が、フローチャート７００のブロック７２０（図７）を実施するように構成され得る。提供回路は、送信機２１０（図２）、トランシーバ２１４（図２）、プロセッサ２０６（図２）、ＤＳＰ２２０（図２）、およびメモリ２０４（図２）のうちの１つまたは複数を含み得る。いくつかの実施形態では、提供するための手段が、提供回路を含み得る。
【０１１４】
[00116]  処理回路は、割り当てられたトーンのサブセットに従ってメッセージを処理するように構成され得る。ある態様では、処理回路が、フローチャート７００のブロック７３０（図７）を実施するように構成され得る。処理回路は、送信機２１０（図２）、受信機２１２（図２）、トランシーバ２１４（図２）、アンテナ２１６（図２）、プロセッサ２０６（図２）、ＤＳＰ２２０（図２）、およびメモリ２０４（図２）のうちの１つまたは複数を含み得る。いくつかの実施形態では、処理するための手段が、処理回路を含み得る。
【０１１５】
[00117]  当業者は、情報および信号が、様々な異なる技術および技法のいずれかを使用して表され得ることを理解するであろう。例えば、上記の説明全体を通して参照され得るデータ、命令、コマンド、情報、信号、ビット、シンボル、およびチップは、電圧、電流、電磁波、磁場もしくは磁性粒子、光学場もしくは光学粒子、またはそれらの任意の組み合わせによって表され得る。
【０１１６】
[00118]  本開示で説明される実施形態への様々な変更は、当業者には容易に明らかであり得、本明細書で定義される一般的な原理は、本開示の範囲から逸脱することなく他の実施形態に適用され得る。従って、本開示は、本明細書で示される実施形態に限定されるように意図されていないが、本明細書で開示される請求項、原理および新規な特徴と一致する最も広い範囲を与えられることとする。「実例的」という言葉は、本明細書で、「例、事例、または例示としての役割を果たす」を意味するようにもっぱら使用される。「実例的」として本明細書で説明されるいずれの実施形態も、必ずしも、他の実施形態よりも好まれるまたは有利であると解釈されるものではない。
【０１１７】
[00119]  別個の実施形態のコンテキストにおいて本明細書で説明されるある特定の特徴もまた、単一の実施形態において組み合わせて実施され得る。反対に、単一の実施形態のコンテキストにおいて説明される様々な特徴もまた、複数の実施形態において別個に、または任意の適したサブコンビネーションにおいて実施され得る。さらに、特徴はある特定の組み合わせにおいて作用するように上記で説明され、最初のうちからでさえそのように請求され得るが、請求される組み合わせからの１つまたは複数の特徴は、いくつかのケースで、その組み合わせから削除され得、請求される組み合わせは、サブコンビネーション、またはサブコンビネーションのバリエーションを対象にし得る。
【０１１８】
[00120]  本明細書で使用される場合、項目のリスト「のうちの少なくとも１つ」を指すフレーズは、単一のメンバを含む、それらの項目の任意の組み合わせを指す。例として、「ａ、ｂ、またはｃのうちの少なくとも１つ」は、ａ、ｂ、ｃ、ａ−ａ、ａ−ｂ、ａ−ｃ、ｂ−ｂ、ｂ−ｃ、ｃ−ｃ、およびａ−ｂ−ｃをカバーするように意図される。
【０１１９】
[00121]  上で説明された方法の様々な動作は、様々なハードウェアおよび／またはソフトウェアコンポーネント（複数を含む）、回路、および／またはモジュール（複数を含む）のような動作を行う能力がある任意の適した手段によって行われ得る。一般に、図において例示されるいずれの動作も、動作を行う能力がある対応する機能的手段によって行われ得る。
【０１２０】
[00122]  本開示に関連して説明された、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、ディスクリートゲートもしくはトランジスタ論理回路、ディスクリートハードウェアコンポーネント、または本明細書で説明される機能を行うように設計された、それらの任意の組み合わせを用いて実施または行われ得る。汎用プロセッサは、マイクロプロセッサであり得るが、その代わりに、プロセッサは、いずれの商業的に利用可能なプロセッサ、コントローラ、マイクロコントローラ、またはステートマシンでもあり得る。プロセッサは、コンピューティングデバイスの組み合わせ、例えば、ＤＳＰとマイクロプロセッサの組み合わせ、複数のマイクロプロセッサ、ＤＳＰコアと連結した１つまたは複数のマイクロプロセッサ、または任意の他のそのような構成、としても実施され得る。
【０１２１】
[00123]  １つまたは複数の態様では、説明される機能が、ハードウェア、ソフトウェア、ファームウェア、またはそれらの任意の組み合わせで実施され得る。ソフトウェアで実施される場合、機能は、コンピュータ可読媒体上の１つまたは複数の命令またはコードとして、記憶または送信され得る。コンピュータ可読媒体は、１つの場所から別の場所へのコンピュータプログラムの転送を容易にする任意の媒体を含む通信媒体およびコンピュータ記憶媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光学ディスクストレージ、磁気ディスクストレージもしくは他の磁気記憶デバイス、またはデータ構造もしくは命令の形態で所望のプログラムコードを記憶もしくは搬送するために使用され得る、およびコンピュータによってアクセスされ得る任意の他の媒体を備え得る。また、いずれの接続手段もコンピュータ可読媒体と適切に名づけられる。例えば、ソフトウェアが、ウェブサイトから、サーバから、または同軸ケーブル、光ファイパケーブル、ツイストペア、デジタル加入者線（ＤＳＬ）、もしくは赤外線や、無線や、マイクロ波のようなワイヤレス技術を使用する他の遠隔ソースから送信される場合、同軸ケーブル、光ファイパケーブル、ツイストペア、ＤＳＬ、または赤外線や、無線や、マイクロ波のようなワイヤレス技術は、媒体の定義に含まれる。本明細書で使用される場合、ディスク（diskおよびdisc）は、コンパクトディスク（disc）（ＣＤ）、レーザーディスク（登録商標）（disc）、光学ディスク（disc）、デジタルバーサタイルディスク（disc）（ＤＶＤ）、フロッピー（登録商標）ディスク（disｋ）、およびブルーレイディスク（disc）を含み、ここにおいてディスク（disk）は大抵、データを磁気的に再生する一方で、ディスク（disc）はデータをレーザで光学的に再生する。従って、いくつかの態様では、コンピュータ可読媒体が、非一時的なコンピュータ可読媒体（例えば、有体媒体）を備え得る。加えていくつかの態様では、コンピュータ可読媒体が、一時的なコンピュータ可読媒体（例えば、信号）を備え得る。上記の組み合わせもまた、コンピュータ可読媒体の範囲内に含まれるべきである。
【０１２２】
[00124]  従って、ある特定の態様は、本明細書で提示される動作を行うためのコンピュータプログラム製品を備え得る。例えば、このようなコンピュータプログラム製品は、命令を記憶（および／または、符号化）したコンピュータ可読媒体を備え得、命令は、本明細書で説明される動作を行うように１つまたは複数のプロセッサによって実行可能である。ある特定の態様では、コンピュータプログラム製品が、パッケージ材料を含み得る。
【０１２３】
[00125]  ある特定の態様は、本明細書で提示される動作を行うためのコンピュータプログラム製品を備え得る。例えば、このようなコンピュータプログラム製品は、命令を記憶（および／または、符号化）したコンピュータ可読媒体を備え得、命令は、本明細書で説明される動作を行うように１つまたは複数のプロセッサによって実行可能である。ある特定の態様では、コンピュータプログラム製品が、パッケージ材料を含み得る。
【０１２４】
[00126]  本明細書で開示される方法は、説明される方法を達成するための１つまたは複数のステップまたはアクションを備える。方法のステップおよび／またはアクションは、請求項の範囲から逸脱することなく、互いにやりとりされ得る。言い換えると、ステップまたはアクションの特定の順序が指定されない限り、特定のステップおよび／またはアクションの順序および／または使用は、請求項の範囲から逸脱することなく変更され得る。
【０１２５】
[00127]  さらに、本明細書で説明される方法および技法を行うためのモジュールおよび／または他の適切な手段は、適用可能である場合に、ユーザ端末および／または基地局によって、ダウンロードされ得る、および／または別のやり方で取得され得ることは認識されるべきである。例えば、そのようなデバイスは、本明細書で説明される方法を行うための手段の転送を容易にするためにサーバに結合され得る。代わりとして、本明細書で説明される様々な方法は、記憶手段（例えば、ＲＡＭ、ＲＯＭ、コンパクトディスク（ＣＤ）またはフロッピーディスクのような物理記憶媒体、等）を介して、ユーザ端末および／または基地局が、デバイスに記憶手段を結合または提供する際に様々な方法を取得し得るように、提供され得る。さらに、本明細書で説明される方法および技法をデバイスに提供するための任意の他の適した技法が、利用され得る。
【０１２６】
[00128]  前述は本開示の態様を対象とするものの、本開示の他のおよびさらなる態様は、その基本的な範囲から逸脱することなく考案され得、その範囲は、以下に続く請求項によって決定される。
【図１】
2020115641.tif 000007
【図２】
2020115641.tif 000008
【図３】
2020115641.tif 000009
【図４】
2020115641.tif 000010
【図５】
2020115641.tif 000011
【図６】
2020115641.tif 000012
【図７】
2020115641.tif 000013
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
装置におけるワイヤレス通信の方法であって、
複数のデバイスの各々へのワイヤレス通信のために周波数のサブバンドを割り当てることであって、前記周波数のサブバンドは、各サブバンドの帯域幅に基づく特定数のパイロットトーンを有するアップリンクまたはダウンリンクトーンプランに関連付けられている、割り当てることと、
ここにおいて、前記複数のデバイスのうちの第２のデバイスに割り当てられるサブバンドよりも大きいサブバンドが第１のデバイスに前記第１および第２のデバイスの優先度に基づいて割り当てられる、
前記サブバンドの割り当てを前記複数のデバイスへ提供することと、
割り当てられた前記複数のサブバンドのうちの少なくとも１つに関連付けられた前記アップリンクまたはダウンリンクトーンプランのうちの１つに従ってメッセージを処理することであって、前記メッセージを符号化または復号することを含む処理することと、
を備える、方法。
【請求項２】
前記アップリンクトーンプランおよび前記ダウンリンクトーンプランは同じである、請求項１に記載の方法。
【請求項３】
前記アップリンクトーンプランは、前記ダウンリンクトーンプランとは異なる、請求項１に記載の方法。
【請求項４】
前記メッセージは、１６μｓのシンボル持続時間を備える、請求項１に記載の方法。
【請求項５】
前記割り当てることは、
前記装置の通信モードに基づいて、利用可能な帯域幅、または利用可能な数のデータトーンのうちの少なくとも１つを決定することと、
前記利用可能な帯域幅または利用可能な数のデータトーンを、複数の周波数のサブバンドに分割することと、
を備える、請求項１に記載の方法。
【請求項６】
前記装置の前記通信モードは、高効率ワイヤレス（ＨＥＷ）プロトコルまたはレガシーワイヤレスローカルエリアネットワーク（ＷＬＡＮ）プロトコルを含む、請求項５に記載の方法。
【請求項７】
前記アップリンクまたはダウンリンクトーンプランは、各サブバンドの前記帯域幅に基づく高速フーリエ変換（ＦＦＴ）サイズを使用する、請求項１に記載の方法。
【請求項８】
前記アップリンクトーンプランまたはダウンリンクトーンプランは、
前記帯域幅が５ＭＨｚを備える場合、６４、
前記帯域幅が１０ＭＨｚを備える場合、１２８、
前記帯域幅が１５ＭＨｚを備える場合、１９２、
前記帯域幅が３０ＭＨｚを備える場合、３８４、
前記帯域幅が６０ＭＨｚを備える場合、７６８、
前記帯域幅が１００ＭＨｚを備える場合、１２８０、
前記帯域幅が１２０ＭＨｚを備える場合、１５３６、
前記帯域幅が１４０ＭＨｚを備える場合、１７９２、
の高速フーリエ変換（ＦＦＴ）サイズを使用する、請求項１に記載の方法。
【請求項９】
前記アップリンクトーンプランまたはダウンリンクトーンプランは、
前記帯域幅が２０ＭＨｚを備える場合、２５６、
前記帯域幅が４０ＭＨｚを備える場合、５１２、
前記帯域幅が８０ＭＨｚを備える場合、１０２４、
前記帯域幅が１６０ＭＨｚを備える場合、２０４８、
の高速フーリエ変換（ＦＦＴ）サイズを使用する、請求項１に記載の方法。
【請求項１０】
前記アップリンクトーンプランまたはダウンリンクトーンプランは、
トーンプランが１６高速フーリエ変換（ＦＦＴ）トーンを有する場合、１０データトーン、２パイロットトーン、および１直流（ＤＣ）トーンを、
前記トーンプランが４８ＦＦＴトーンを有する場合、３８データトーン、２パイロットトーン、および１ＤＣトーンを、
前記トーンプランが９６ＦＦＴトーンを有する場合、８０データトーン、４パイロットトーン、および１ＤＣトーンを、
前記トーンプランが１９２ＦＦＴトーンを有する場合、１７１データトーン、６パイロットトーン、および３ＤＣトーンを、
前記トーンプランが３２０ＦＦＴトーンを有する場合、２９２データトーン、８パイロットトーン、および５ＤＣトーンを、
前記トーンプランが３８４ＦＦＴトーンを有する場合、３５０データトーン、１０パイロットトーン、および７ＤＣトーンを、
前記トーンプランが４４８ＦＦＴトーンを有する場合、４０８データトーン、１０パイロットトーン、および９ＤＣトーンを、
前記トーンプランが７６８ＦＦＴトーンを有する場合、７０２データトーン、２４パイロットトーン、および１１ＤＣトーンを、
前記トーンプランが１０２４ＦＦＴトーンを有する場合、９３６データトーン、３２パイロットトーン、および１１ＤＣトーンを、
前記トーンプランが１２８０ＦＦＴトーンを有する場合、１１７０データトーン、４０パイロットトーン、および１１ＤＣトーンを、
前記トーンプランが１５３６ＦＦＴトーンを有する場合、１４０４データトーン、４８パイロットトーン、および１１ＤＣトーンを、
前記トーンプランが１７９２ＦＦＴトーンを有する場合、１６３８データトーン、５６パイロットトーン、および１１ＤＣトーンを、
前記トーンプランが２０４８ＦＦＴトーンを有する場合、１８７２データトーン、６４パイロットトーン、および１１ＤＣトーンを、
備える、請求項１に記載の方法。
【請求項１１】
前記ダウンリンクトーンプランについて割り当てられた前記複数のサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、請求項１に記載の方法。
【請求項１２】
前記アップリンクトーンプランに関する割り当てられた前記複数のサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン、
しか備えない、請求項１に記載の方法。
【請求項１３】
請求項１乃至１２のいずれかに記載の方法を行うための手段を備える、ワイヤレス通信のための装置。
【請求項１４】
アンテナおよび処理システムを備える、請求項１３に記載の装置。
【請求項１５】
コンピュータによって実行されたとき、請求項１乃至１２のいずれかの方法を前記コンピュータにさせるプログラム命令を備える、コンピュータプログラム。
【手続補正２】
【補正対象書類名】明細書
【補正対象項目名】０１２６
【補正方法】変更
【補正の内容】
【０１２６】
[00128]  前述は本開示の態様を対象とするものの、本開示の他のおよびさらなる態様は、その基本的な範囲から逸脱することなく考案され得、その範囲は、以下に続く請求項によって決定される。
以下に本願発明の当初の特許請求の範囲に記載された発明を付記する。
［Ｃ１］
ワイヤレス通信のための装置であって、
複数のデバイスの各々へのワイヤレス通信のためにリソースを割り当てることであって、前記リソースは、単一のアップリンクトーンプランまたはダウンリンクトーンプラン内のデータトーンのサブセット、または周波数のサブバンドのうちの少なくとも１つを備える、割り当てることと、
前記デバイスへの前記リソースの割り当てを提供することと、
前記割り当てられたサブバンドまたは前記割り当てられたサブセットのうちの少なくとも１つに関連付けられたアップリンクまたはダウンリンクトーンプランのうちの１つに従ってメッセージを処理することと、
を行うように構成された処理システム、
を備える、ワイヤレス通信のための装置。
［Ｃ２］
前記アップリンクトーンプランおよび前記ダウンリンクトーンプランは同じである、Ｃ１に記載の装置。
［Ｃ３］
前記アップリンクトーンプランは、前記ダウンリンクトーンプランとは異なる、Ｃ１に記載の装置。
［Ｃ４］
前記割り当てられたサブセットの各々は、１または複数のパイロットトーンをさらに備える、Ｃ１に記載の装置。
［Ｃ５］
前記メッセージは、１３．６μｓ、１４．４μｓ、または１６μｓのシンボル持続時間を備える、Ｃ１に記載の装置。
［Ｃ６］
前記処理システムは、
前記装置の通信モードに基づいて、利用可能な帯域幅、または利用可能な数のデータトーンのうちの少なくとも１つを決定することと、
前記利用可能な帯域幅または利用可能な数のデータトーンを、複数の周波数のサブバンドまたはデータトーンのサブセットにそれぞれ分割することと、
によって前記リソースを割り当てるようにさらに構成される、Ｃ１に記載の装置。
［Ｃ７］
前記処理システムは、前記ダウンリンクトーンプランまたはアップリンクトーンプランそれぞれに従って、前記メッセージを符号化または復号するようにさらに構成される、Ｃ１に記載の装置。
［Ｃ８］
前記アップリンクトーンプランまたはダウンリンクトーンプランは、
帯域幅が５ＭＨｚを備える場合、６４、
帯域幅が１０ＭＨｚを備える場合、１２８、
帯域幅が１５ＭＨｚを備える場合、１９２、
帯域幅が３０ＭＨｚを備える場合、３８４、
帯域幅が６０ＭＨｚを備える場合、７６８、
帯域幅が１００ＭＨｚを備える場合、１２８０、
帯域幅が１２０ＭＨｚを備える場合、１５３６、
帯域幅が１４０ＭＨｚを備える場合、１７９２、
の高速フーリエ変換（ＦＦＴ）サイズを使用する、Ｃ１に記載の装置。
［Ｃ９］
前記アップリンクまたはダウンリンクトーンプランは、
帯域幅が２０ＭＨｚを備える場合、２５６、
帯域幅が４０ＭＨｚを備える場合、５１２、
帯域幅が８０ＭＨｚを備える場合、１０２４、
帯域幅が１６０ＭＨｚを備える場合、２０４８、
の高速フーリエ変換（ＦＦＴ）サイズを使用する、Ｃ１に記載の装置。
［Ｃ１０］
前記アップリンクトーンプランまたはダウンリンクトーンプランは、
トーンプランが１６高速フーリエ変換（ＦＦＴ）トーンを有する場合、１０データトーン、２パイロットトーン、および１直流（ＤＣ）トーンを、
前記トーンプランが４８ＦＦＴトーンを有する場合、３８データトーン、２パイロットトーン、および１ＤＣトーンを、
前記トーンプランが９６ＦＦＴトーンを有する場合、８０データトーン、４パイロットトーン、および１ＤＣトーンを、
前記トーンプランが１９２ＦＦＴトーンを有する場合、１７１データトーン、６パイロットトーン、および３ＤＣを、
前記トーンプランが３２０ＦＦＴトーンを有する場合、２９２データトーン、８パイロットトーン、および５ＤＣを、
前記トーンプランが３８４ＦＦＴトーンを有する場合、３５０データトーン、１０パイロットトーン、および７ＤＣを、
前記トーンプランが４４８ＦＦＴトーンを有する場合、４０８データトーン、１０パイロットトーン、および９ＤＣを、
前記トーンプランが７６８ＦＦＴトーンを有する場合、７０２データトーン、２４パイロットトーン、および１１ＤＣを、
前記トーンプランが１０２４ＦＦＴトーンを有する場合、９３６データトーン、３２パイロットトーン、および１１ＤＣを、
前記トーンプランが１２８０ＦＦＴトーンを有する場合、１１７０データトーン、４０パイロットトーン、および１１ＤＣを、
前記トーンプランが１５３６ＦＦＴトーンを有する場合、１４０４データトーン、４８パイロットトーン、および１１ＤＣを、
前記トーンプランが１７９２ＦＦＴトーンを有する場合、１６３８データトーン、５６パイロットトーン、および１１ＤＣを、
前記トーンプランが２０４８ＦＦＴトーンを有する場合、１８７２データトーン、６４パイロットトーン、および１１ＤＣを、
備える、Ｃ１に記載の装置。
［Ｃ１１］
前記ダウンリンクトーンプランに関する前記割り当てられたサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、Ｃ１に記載の装置。
［Ｃ１２］
前記アップリンクトーンプランに関する前記割り当てられたサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン
しか備えない、Ｃ１に記載の装置。
［Ｃ１３］
ワイヤレス通信の方法であって、
複数のデバイスの各々へのワイヤレス通信のためにリソースを割り当てることであって、前記リソースは、単一のアップリンクトーンプランまたはダウンリンクトーンプラン内のデータトーンのサブセット、または周波数のサブバンドのうちの少なくとも１つを備える、割り当てることと、
前記デバイスへの前記リソースの割り当てを提供することと、
前記割り当てられたサブバンドまたは前記割り当てられたサブセットのうちの少なくとも１つに関連付けられたアップリンクまたはダウンリンクトーンプランのうちの１つに従ってメッセージを処理することと、
を備える、ワイヤレス通信のための方法。
［Ｃ１４］
前記アップリンクトーンプランおよび前記ダウンリンクトーンプランは同じである、Ｃ１３に記載の方法。
［Ｃ１５］
前記アップリンクトーンプランは、前記ダウンリンクトーンプランとは異なる、Ｃ１３に記載の方法。
［Ｃ１６］
前記割り当てられたサブセットの各々は、１または複数のパイロットトーンをさらに備える、Ｃ１３に記載の方法。
［Ｃ１７］
前記メッセージは、１６μｓのシンボル持続時間を備える、Ｃ１３に記載の方法。
［Ｃ１８］
前記割り当てることは、
前記装置の通信モードに基づいて、利用可能な帯域幅、または利用可能な数のデータトーンのうちの少なくとも１つを決定することと、
前記利用可能な帯域幅または利用可能な数のデータトーンを、複数の周波数のサブバンドまたはデータトーンのサブセットにそれぞれ分割することと、
を備える、Ｃ１３に記載の方法。
［Ｃ１９］
前記ダウンリンクトーンプランまたはアップリンクトーンプランそれぞれに従って、前記メッセージを符号化または復号することをさらに備える、Ｃ１３に記載の方法。
［Ｃ２０］
前記アップリンクトーンプランまたはダウンリンクトーンプランは、
帯域幅が５ＭＨｚを備える場合、６４、
帯域幅が１０ＭＨｚを備える場合、１２８、
帯域幅が１５ＭＨｚを備える場合、１９２、
帯域幅が３０ＭＨｚを備える場合、３８４、
帯域幅が６０ＭＨｚを備える場合、７６８、
帯域幅が１００ＭＨｚを備える場合、１２８０、
帯域幅が１２０ＭＨｚを備える場合、１５３６、
帯域幅が１４０ＭＨｚを備える場合、１７９２、
の高速フーリエ変換（ＦＦＴ）サイズを使用する、Ｃ１３に記載の方法。
［Ｃ２１］
前記アップリンクトーンプランまたはダウンリンクトーンプランは、
帯域幅が２０ＭＨｚを備える場合、２５６、
帯域幅が４０ＭＨｚを備える場合、５１２、
帯域幅が８０ＭＨｚを備える場合、１０２４、
帯域幅が１６０ＭＨｚを備える場合、２０４８、
の高速フーリエ変換（ＦＦＴ）サイズを使用する、Ｃ１３に記載の方法。
［Ｃ２２］
前記アップリンクトーンプランまたはダウンリンクトーンプランは、
トーンプランが１６高速フーリエ変換（ＦＦＴ）トーンを有する場合、１０データトーン、２パイロットトーン、および１直流（ＤＣ）トーンを、
前記トーンプランが４８ＦＦＴトーンを有する場合、３８データトーン、２パイロットトーン、および１ＤＣトーンを、
前記トーンプランが９６ＦＦＴトーンを有する場合、８０データトーン、４パイロットトーン、および１ＤＣトーンを、
前記トーンプランが１９２ＦＦＴトーンを有する場合、１７１データトーン、６パイロットトーン、および３ＤＣを、
前記トーンプランが３２０ＦＦＴトーンを有する場合、２９２データトーン、８パイロットトーン、および５ＤＣを、
前記トーンプランが３８４ＦＦＴトーンを有する場合、３５０データトーン、１０パイロットトーン、および７ＤＣを、
前記トーンプランが４４８ＦＦＴトーンを有する場合、４０８データトーン、１０パイロットトーン、および９ＤＣを、
前記トーンプランが７６８ＦＦＴトーンを有する場合、７０２データトーン、２４パイロットトーン、および１１ＤＣを、
前記トーンプランが１０２４ＦＦＴトーンを有する場合、９３６データトーン、３２パイロットトーン、および１１ＤＣを、
前記トーンプランが１２８０ＦＦＴトーンを有する場合、１１７０データトーン、４０パイロットトーン、および１１ＤＣを、
前記トーンプランが１５３６ＦＦＴトーンを有する場合、１４０４データトーン、４８パイロットトーン、および１１ＤＣを、
前記トーンプランが１７９２ＦＦＴトーンを有する場合、１６３８データトーン、５６パイロットトーン、および１１ＤＣを、
前記トーンプランが２０４８を有する場合、１８７２データトーン、６４パイロットトーン、および１１ＤＣを、
備える、Ｃ１３に記載の方法。
［Ｃ２３］
前記ダウンリンクトーンプランに関する前記割り当てられたサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、Ｃ１３に記載の方法。
［Ｃ２４］
前記アップリンクトーンプランに関する前記割り当てられたサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン、
しか備えない、Ｃ１３に記載の方法。
［Ｃ２５］
ワイヤレス通信のための装置であって、
複数のデバイスの各々へのワイヤレス通信のためにリソースを割り当てるための手段であって、前記リソースは、単一のアップリンクトーンプランまたはダウンリンクトーンプラン内のデータトーンのサブセット、または周波数のサブバンドのうちの少なくとも１つを含む、割り当てるための手段と、
前記デバイスへの前記リソースの割り当てを提供するための手段と、
前記割り当てられたサブバンドまたは前記割り当てられたサブセットのうちの少なくとも１つに関連付けられたアップリンクまたはダウンリンクトーンプランのうちの１つに従ってメッセージを処理するための手段と、
を備える、ワイヤレス通信のための装置。
［Ｃ２６］
前記アップリンクトーンプランまたはダウンリンクトーンプランは、
帯域幅が５ＭＨｚを備える場合、６４、
帯域幅が１０ＭＨｚを備える場合、１２８、
帯域幅が１５ＭＨｚを備える場合、１９２、
帯域幅が３０ＭＨｚを備える場合、３８４、
帯域幅が６０ＭＨｚを備える場合、７６８、
帯域幅が１００ＭＨｚを備える場合、１２８０、
帯域幅が１２０ＭＨｚを備える場合、１５３６、
帯域幅が１４０ＭＨｚを備える場合、１７９２、
の高速フーリエ変換（ＦＦＴ）サイズを使用する、Ｃ２５に記載の装置。
［Ｃ２７］
前記アップリンクトーンプランまたはダウンリンクトーンプランは、
帯域幅が２０ＭＨｚを備える場合、２５６、
帯域幅が４０ＭＨｚを備える場合、５１２、
帯域幅が８０ＭＨｚを備える場合、１０２４、
帯域幅が１６０ＭＨｚを備える場合、２０４８、
の高速フーリエ変換（ＦＦＴ）サイズを使用する、Ｃ２５に記載の装置。
［Ｃ２８］
前記ダウンリンクトーンプランに関する前記割り当てられたサブセットの各々は、
前記サブセットの帯域幅が１６高速フーリエ変換（ＦＦＴ）トーンを備える場合、１３データトーン、
前記サブセットの帯域幅が３２ＦＦＴトーンを備える場合、２６データトーン、
前記サブセットの帯域幅が４８ＦＦＴトーンを備える場合、３９データトーン、
前記サブセットの帯域幅が６４ＦＦＴトーンを備える場合、５２データトーン、
前記サブセットの帯域幅が９６ＦＦＴトーンを備える場合、８１データトーン、
前記サブセットの帯域幅が１２８ＦＦＴトーンを備える場合、１０８データトーン、
前記サブセットの帯域幅が１９２ＦＦＴトーンを備える場合、１７５データトーン、
前記サブセットの帯域幅が２５６ＦＦＴトーンを備える場合、２３４データトーン、
前記サブセットの帯域幅が３２０ＦＦＴトーンを備える場合、２９２データトーン、
前記サブセットの帯域幅が３８４ＦＦＴトーンを備える場合、３５１データトーン、
前記サブセットの帯域幅が４４８ＦＦＴトーンを備える場合、４０９データトーン、
しか備えない、Ｃ２５に記載の装置。
［Ｃ２９］
前記アップリンクトーンプランに関する前記割り当てられたサブセットの各々は、
前記サブセットの帯域幅が１６高速フーリエ変換（ＦＦＴ）トーンを備える場合、１０データトーンおよび２パイロットトーン、
前記サブセットの帯域幅が３２ＦＦＴトーンを備える場合、２３データトーンおよび２パイロットトーン、
前記サブセットの帯域幅が４８ＦＦＴトーンを備える場合、３５データトーンおよび２パイロットトーン、
前記サブセットの帯域幅が６４ＦＦＴトーンを備える場合、４６データトーンおよび４パイロットトーン、
前記サブセットの帯域幅が９６ＦＦＴトーンを備える場合、７７データトーンおよび４パイロットトーン、
前記サブセットの帯域幅が１２８ＦＦＴトーンを備える場合、１０２データトーンおよび６パイロットトーン、
前記サブセットの帯域幅が１９２ＦＦＴトーンを備える場合、１７１データトーンおよび６パイロットトーン、
前記サブセットの帯域幅が２５６ＦＦＴトーンを備える場合、２２８データトーンおよび８パイロットトーン、
前記サブセットの帯域幅が３２０ＦＦＴトーンを備える場合、２９０データトーンおよび８パイロットトーン、
前記サブセットの帯域幅が３８４ＦＦＴトーンを備える場合、３４８データトーンおよび１０パイロットトーン、
前記サブセットの帯域幅が４４８ＦＦＴトーンを備える場合、４０８データトーンおよび１０パイロットトーン、
しか備えない、Ｃ２５に記載の装置。
［Ｃ３０］
ワイヤレスノードであって、
アンテナと、
処理システムと、
を備え、前記処理システムは、
複数のデバイスの各々へのワイヤレス通信のためにリソースを割り当てることであって、前記リソースは、単一のアップリンクトーンプランまたはダウンリンクトーンプラン内のデータトーンのサブセット、または周波数のサブバンドのうちの少なくとも１つを備える、割り当てることと、
前記デバイスへの前記リソースの割り当てを提供することと、
前記割り当てられたサブバンドまたは前記割り当てられたサブセットのうちの少なくとも１つに関連付けられたアップリンクまたはダウンリンクトーンプランのうちの１つに従ってメッセージを処理することと、
を行うように構成される、ワイヤレスノード。
【手続補正書】
【提出日】令和2年5月1日(2020.5.1)
【手続補正１】
【補正対象書類名】明細書
【補正対象項目名】００９９
【補正方法】変更
【補正の内容】
【００９９】
[00101]  一態様では、プロセッサ２０４が、トーンの利用可能な量、およびワイヤレス媒体へのアクセスをリクエストするデバイスの数を決定し得る。プロセッサ２０４は、利用可能な帯域幅が越えられることのないように各デバイスに最大サブセットサイズを割り当て得る。例えば、ＡＰ１０４は、ＳＴＡ１０６Ａ−１０６Ｄの数（４）で８０ＭＨｚ
ＯＦＤＭＡゾーン３１０を分割し、各ＳＴＡ１０６Ａ−１０６Ｄに２０ＭＨｚサブバンド３２０Ａ−３２０Ｂを割り当て得る。様々な他の態様において、プロセッサ２０４は、例えばＳＴＡ１０６Ａ−１０６Ｄの優先度または能力に基づいて、ある特定のデバイスにより大きなサブバンドを割り得て得る。従って、ＤＬ通信では、ＡＰ１０４が、２３４の利用可能なデータトーンを分割し、各デバイスに、単一ＤＬトーンプラン６３０の５２データトーンを割り当て得る。ＵＬ通信では、ＡＰ１０４が、２３４の利用可能なデータトーンを分割し、各デバイスに、単一トーンプラン６３０の４６データトーン、４パイロットトーン、および２ガードトーンを割り当て得る。
【外国語明細書】
2020115641000001.pdf